(57)【要約】【課題】本発明は、盗聴や無秩序な送受信を行うことなく、ＡＶデータ受信を許可したＡＶデータ受信装置とＡＶデータ送信装置との間でのみ無線ＡＶデータ伝送が可能なシステムを自由に構築できるＡＶデータ無線通信システムを提供することを目的とする。【解決手段】ＡＶデータ送信装置３からのＡＶデータ信号をＡＶデータ受信装置４で受信することが望まれるとき、リモコン５よりＡＶデータ送信装置３にＩＤコードＡの送信要求が行われる。そして、ＡＶデータ送信装置３ではＩＤコードより暗号化ＩＤコードαと解読コードａが生成される。そして、ＡＶデータ受信装置は、リモコン５を介した赤外線通信よりＩＤコードαを受信するとともに、無線通信により解読コードａを受信し、ＩＤコードα及び解読コードａより暗号化解除しＩＤコードＡを得る。【選択図】      図１
2004214976.tif 000002
【特許請求の範囲】
【請求項１】
音声や映像を含むＡＶデータ信号を通信用鍵信号で暗号化して送信するＡＶデータ送信装置と、受信したＡＶデータ信号を暗号化解除するＡＶデータ受信装置とで構成されるＡＶデータ無線通信システムにおいて、
前記ＡＶデータ送信装置及び前記ＡＶデータ受信装置の一方を第１通信装置とし、他方を第２通信装置としたとき、
前記第１通信装置が前記第２通信装置に通信用鍵信号を要求したとき、
前記第２通信装置において、該第２通信装置が備える通信用鍵信号より２つ以上の設定用鍵信号を生成し、当該設定用鍵信号と同数の異なる伝送媒体を利用して、当該設定用鍵信号を全て前記第１通信装置に送信し、
前記第１通信装置において、受信した全ての前記設定用鍵信号によって元の前記通信用鍵信号を復元して格納し、前記第２通信装置との通信を確立することを特徴とするＡＶデータ無線通信システム。
【請求項２】
前記伝送媒体の一つが、前記ＡＶデータ信号が送受信される際に利用される伝送媒体であることを特徴とする請求項１に記載のＡＶデータ無線通信システム。
【請求項３】
前記伝送媒体の一つが第３の電子機器を仲介する伝送媒体であり、
前記第２通信装置から前記設定用鍵信号の１つが前記電子機器に送信されて、該電子機器に該設定用鍵信号が格納された後、該電子機器から該設定用鍵信号が前記第１通信装置に送信されることを特徴とする請求項１又は請求項２に記載のＡＶデータ無線通信システム。
【請求項４】
音声や映像を含むＡＶデータ信号を通信用鍵信号で暗号化して送信するＡＶデータ送信装置と、受信したＡＶデータ信号を暗号化解除するＡＶデータ受信装置とで構成されるＡＶデータ無線通信システムにおいて、
前記ＡＶデータ送信装置及び前記ＡＶデータ受信装置の一方を第１通信装置とし、他方を第２通信装置としたとき、
前記第１通信装置が前記第２通信装置に通信用鍵信号を要求したとき、
前記第２通信装置において、該第２通信装置が備える通信用鍵信号より第１設定用鍵信号及び第２設定用鍵信号を生成して、第１伝送媒体を利用して当該第１設定用鍵信号を前記第１通信装置に送信するとともに、第２伝送媒体を利用して当該第２設定用鍵信号を前記第１通信装置に送信し、
前記第１通信装置において、受信した前記第１設定用鍵信号及び前記第２設定用鍵信号によって元の前記通信用鍵信号を復元して格納し、前記第２通信装置との通信を確立することを特徴とするＡＶデータ無線通信システム。
【請求項５】
前記第２通信装置において、前記第１設定用鍵信号及び前記第２設定用鍵信号が、生成されるタイミングに応じて異なる信号であることを特徴とする請求項４に記載のＡＶデータ無線通信システム。
【請求項６】
前記第１通信装置及び前記第２通信装置において、時刻情報を一致させ、
前記第２通信装置において、前記第１設定用鍵信号及び前記第２設定用鍵信号を生成する際に生成時の時刻情報を利用して、毎回異なる前記第１設定用鍵信号及び前記第２設定用鍵信号を生成することを特徴とする請求項５に記載のＡＶデータ無線通信システム。
【請求項７】
前記第１通信装置において、前記第１設定用鍵信号及び前記第２設定用鍵信号から前記通信用鍵信号を復元する際、時刻情報を利用して復元することを特徴とする請求項６に記載のＡＶデータ無線通信システム。
【請求項８】
前記第１通信装置において、前記第１設定用鍵信号及び前記第２設定用鍵信号から前記通信用鍵信号を復元する際、時刻情報を所定時間分変化させて利用することを特徴とする請求項７に記載のＡＶデータ無線通信システム。
【請求項９】
前記第１設定用鍵信号及び前記第２設定用鍵信号の少なくとも一方が、特定の期間に前記第２通信装置から前記第１通信装置に送信されることを特徴とする請求項４〜請求項８のいずれかに記載のＡＶデータ無線通信システム。
【請求項１０】
前記第１通信装置が前記第１設定用鍵信号を受信したとき、前記第２通信装置に対して前記第２設定用鍵信号の送信を要求することを特徴とする請求項４〜請求項９のいずれかに記載のＡＶデータ無線通信システム。
【請求項１１】
前記第２通信装置が、前記第２設定用鍵信号の送信要求が成されてから一定期間の間、前記第２設定用鍵信号の送信を行うことを特徴とする請求項１０に記載のＡＶデータ無線通信システム。
【請求項１２】
前記第２通信装置が、前記第１通信装置より前記通信用鍵信号が生成されて格納されたことを示す切換完了信号を受信したとき、前記第２設定用鍵信号の送信を終了することを特徴とする請求項４〜請求項１１のいずれかに記載のＡＶデータ無線通信システム。
【請求項１３】
前記第１通信装置及び前記第２通信装置の少なくとも一方が、他方の通信装置の認証を行うための通信装置用認証コードを備えることを特徴とする請求項４〜請求項１２のいずれかに記載のＡＶデータ無線通信システム。
【請求項１４】
前記第１通信装置及び前記第２通信装置の少なくとも一方が、他方の通信装置に認証されるための通信装置用認証コードを備えることを特徴とする請求項４〜請求項１２のいずれかに記載のＡＶデータ無線通信システム。
【請求項１５】
前記第２通信装置が前記第１通信装置の認証を行うための通信装置用認証コードを備え、
前記第２通信装置から前記第１伝送媒体を通じて前記第１通信装置へ該通信装置用認証コードが送信された後、
前記第１通信装置が該通信装置用認証コードを確認し、該通信用認証コードを前記第２通信装置に送信し、
前記第１通信装置から送信された該通信装置用認証コードを前記第２通信装置が受信し、受信した該通信装置用認証コードと当該第２通信装置が格納している前記通信用認証コードとによって前記第１通信装置の認証を行うことを特徴とする請求項４〜請求項１２のいずれかに記載のＡＶデータ無線通信システム。
【請求項１６】
前記第１伝送媒体及び前記第２伝送媒体の一方が、前記ＡＶデータ信号が送受信される際に利用される伝送媒体であることを特徴とする請求項４〜請求項１５のいずれかに記載のＡＶデータ無線通信システム。
【請求項１７】
前記第１伝送媒体及び前記第２伝送媒体の一方が第３の電子機器を仲介する伝送媒体であり、
前記第２通信装置から前記第１設定用鍵信号及び前記第２設定用鍵信号の一方が前記電子機器に送信されて、該電子機器に該設定用鍵信号が格納された後、該電子機器から該設定用鍵信号が前記第１通信装置に送信されることを特徴とする請求項４〜請求項１６のいずれかに記載のＡＶデータ無線通信システム。
【請求項１８】
前記電子機器が前記第１通信装置に前記設定用鍵信号を送信した後、格納した前記設定用鍵信号を削除することを特徴とする請求項１７に記載のＡＶデータ無線通信システム。
【請求項１９】
前記電子機器が、前記第１通信装置より前記通信用鍵信号が生成されて格納されたことを示す切換完了信号を受信したとき、格納した前記設定用鍵信号を削除することを特徴とする請求項１８に記載のＡＶデータ無線通信システム。
【請求項２０】
前記電子機器が前記第１通信装置及び前記第２通信装置の少なくとも一方で認証される電子機器用認証コードを備えることを特徴とする請求項１７〜請求項１９のいずれかに記載のＡＶデータ無線通信システム。
【請求項２１】
前記電子機器より前記第２通信装置に前記電子機器用認証コードが送信され、前記第２通信装置が該電子機器用認証コードより前記電子機器を認証した後に、前記設定用鍵信号を前記電子機器に送信することを特徴とする請求項２０に記載のＡＶデータ無線通信システム。
【請求項２２】
前記電子機器より前記第１通信装置に前記電子機器用認証コードが送信され、前記第１通信装置が該電子機器用認証コードより前記電子機器を認証した後に、前記設定用鍵信号を前記電子機器から受信することを特徴とする請求項２０又は請求項２１に記載のＡＶデータ無線通信システム。
【請求項２３】
前記第２通信装置が前記第１通信装置の認証を行うための通信装置用認証コードを備え、
前記第２通信装置から前記電子機器へ該通信装置用認証コードが送信されて格納された後、
前記電子機器から前記第１通信装置へ該通信装置用認証コードが送信され、前記第１通信装置が該通信装置用認証コードを確認し、該通信用認証コードを前記第２通信装置に送信し、
前記第１通信装置から送信された該通信装置用認証コードを前記第２通信装置が受信し、受信した該通信装置用認証コードと当該第２通信装置が格納している前記通信用認証コードとによって前記第１通信装置の認証を行うことを特徴とする請求項１７〜請求項２２のいずれかに記載のＡＶデータ無線通信システム。
【請求項２４】
前記第１通信装置及び前記第２通信装置がそれぞれ、認証するための第１通信装置用認証コード及び第２通信装置用認証コードを備え、
前記第２通信装置から前記電子機器へ前記第２通信装置用認証コードが送信されて格納された後、
前記第１通信装置から前記電子機器へ前記第１通信装置用認証コードが送信され、
前記電子機器において、受信した前記第１通信装置用認証コードと格納した前記第２通信装置用認証コードとによって前記第１通信装置の認証を行うことを特徴とする請求項１７〜請求項２２のいずれかに記載のＡＶデータ無線通信システム。
【請求項２５】
前記第１通信装置及び前記第２通信装置が、前記電子機器と通信可能な状態にあることが報知される接続状態報知部を備えることを特徴とする請求項１７〜請求項２４のいずれかに記載のＡＶデータ無線通信システム。
【請求項２６】
前記接続状態報知部によって前記電子機器と通信可能な状態になったことを前記第１通信装置及び前記第２通信装置が確認したとき、前記電子機器に通信可能な状態にあることを通知することを特徴とする請求項２５に記載のＡＶデータ無線通信システム。
【請求項２７】
前記電子機器が、前記第１通信装置及び前記第２通信装置と光通信するリモートコントローラであり、
前記第１通信装置及び前記第２通信装置それぞれが、
当該電子機器専用の第１受発光部と、
前記第１通信装置及び前記第２通信装置を操作する当該電子機器と別のリモートコントローラと光通信を行うための第２受発光部と、を備え、
前記第１通信装置及び前記第２装置において、前記接続状態報知部によって前記電子機器と通信可能な状態になったことが確認されると、前記第１受発光部が発光動作を行うことで前記電子機器に通信可能になったことを通知することを特徴とする請求項２６に記載のＡＶデータ無線通信システム。
【請求項２８】
前記第１通信装置及び前記第２通信装置が、前記第１受発光部が装置内部に設けられるとともに、前記第１受発光部を覆う蓋部を備え、
該蓋部が開かれて前記電子機器が挿入され、前記第１受発光部に対面したとき、前記接続状態報知部によって前記電子機器と通信可能な状態になったことが確認されることを特徴とする請求項２７に記載のＡＶデータ無線通信システム。
【請求項２９】
前記電子機器が前記第１通信装置及び前記第２通信装置と有線通信を行うことを特徴とする請求項１７〜請求項２４のいずれかに記載のＡＶデータ無線通信システム。
【請求項３０】
前記電子機器が前記第１通信装置及び前記第２通信装置と無線通信を行うことを特徴とする請求項１７〜請求項２５のいずれかに記載のＡＶデータ無線通信システム。
【請求項３１】
前記電子機器が、前記第１通信装置及び前記第２通信装置の少なくとも一方を操作する操作信号を送信するリモートコントローラであることを特徴とする請求項３０に記載のＡＶデータ無線通信システム。
【請求項３２】
前記第１通信装置が、
前記第１伝送媒体と接続される第１インターフェースと、
前記第２伝送媒体と接続される第２インターフェースと、
前記通信用暗号鍵を格納する暗号鍵格納部と、
前記第１インターフェース及び前記第２インターフェースそれぞれから入力された前記第１設定用鍵信号及び前記第２設定用鍵信号を用いた特定の演算処理を行うことによって前記通信用暗号鍵を生成して、前記暗号鍵格納部に格納する暗号鍵切換制御部と、
を備えることを特徴とする請求項４〜請求項３１のいずれかに記載のＡＶデータ無線通信システム。
【請求項３３】
前記第２通信装置が、
前記通信用暗号鍵を格納する暗号鍵格納部と、
前記第１伝送媒体と接続される第１インターフェースと、
前記第２伝送媒体と接続される第２インターフェースと、
前記通信用暗号鍵の要求を確認したとき、前記暗号鍵格納部に格納された前記通信用暗号鍵を読み出して、特定の演算処理を行って前記第１設定用鍵信号及び前記第２設定用鍵信号を生成する設定用鍵信号生成部と、
を備え
前記設定用鍵信号生成部で生成された前記第１設定用鍵信号及び前記第２設定用鍵信号がそれぞれ、前記第１インターフェース及び前記第２インターフェースを介して前記第１伝送媒体及び前記第２伝送媒体に出力されることを特徴とする請求項４〜請求項３２のいずれかに記載のＡＶデータ無線通信システム。
【請求項３４】
前記ＡＶデータ信号を暗号化して送信するＡＶデータ送信装置において、請求項１〜請求項３３のいずれかに記載のＡＶデータ無線通信システムにおける前記第１通信装置として動作することを特徴とするＡＶデータ送信装置。
【請求項３５】
前記ＡＶデータ信号を暗号化して送信するＡＶデータ送信装置において、請求項１〜請求項３３のいずれかに記載のＡＶデータ無線通信システムにおける前記第２通信装置として動作することを特徴とするＡＶデータ送信装置。
【請求項３６】
暗号化された前記ＡＶデータ信号を受信して暗号化解除するＡＶデータ受信装置において、請求項１〜請求項３３のいずれかに記載のＡＶデータ無線通信システムにおける前記第１通信装置として動作することを特徴とするＡＶデータ送信装置。
【請求項３７】
暗号化された前記ＡＶデータ信号を受信して暗号化解除するＡＶデータ受信装置において、請求項１〜請求項３３のいずれかに記載のＡＶデータ無線通信システムにおける前記第２通信装置として動作することを特徴とするＡＶデータ送信装置。
【請求項３８】
請求項１７〜請求項３１のいずれかに記載のＡＶデータ無線通信システムにおける電子機器であることを特徴とする電子機器。
【発明の詳細な説明】
【０００１】
【発明の属する技術分野】
本発明は、ＡＶデータを暗号化コードで暗号化して無線送信するＡＶデータ送信装置、及び、暗号化されたＡＶデータを無線受信して復号化するＡＶデータ受信装置、及び、このＡＶデータ送信装置及びＡＶデータ受信装置によるＡＶデータ無線通信システムに関する。
【０００２】
【従来の技術】
近年、有線接続の煩雑さと無線技術の発達により、チューナ、ビデオ、ＤＶＤなどのＡＶソース機器からディスプレイやプロジェクタなどのＡＶ再生装置に対してＡＶデータを送信し、ＡＶ再生装置において映像や音声を表示又は出力するＡＶデータ用の無線通信システムが提供されている。このＡＶデータ用の無線通信システムを実現するために、ＡＶソース機器にＡＶデータを送信するＡＶデータ送信装置が接続されるとともに、ＡＶ再生装置にＡＶ受信装置が接続される。又、このＡＶデータ送信装置がＡＶソース機器に備えられるとともに、ＡＶ受信装置がＡＶ再生装置に備えられることで、ＡＶソース機器とＡＶ再生装置とによってＡＶデータ用の無線通信システムが構成されることもある。
【０００３】
そして、このようなＡＶデータ用の無線通信システムでは、ＡＶデータ送信装置とＡＶデータ受信装置は、ＡＶデータに著作権があるため、１対１で構成され、別のシステムを構成するＡＶデータ送信装置とＡＶデータ受信装置との間ではＡＶ伝送ができないようになっている。従来のＡＶデータ用の無線通信システムを複数用いたときの構成を、図３８に示す。
【０００４】
図３８では、２つのＡＶデータ用の無線通信システムが構成されている。１つのＡＶデータ用の無線通信システムＸは、ＡＶソース機器１と有線で接続されたＡＶデータ送信装置１０１のアンテナ５１１から、ＡＶソース機器１から出力されたＡＶデータが送信される。このＡＶソース機器１からのＡＶデータは、アンテナ５４１を介してＡＶデータ受信装置１０２で受信され、ＡＶデータ受信装置１０２と有線で接続されたＡＶ再生装置２に与えられて再生表示される。
【０００５】
又、ＡＶソース機器１を操作するためのリモートコントローラ（リモコン）１１が操作されて赤外線信号が送信されると、この赤外線信号がＡＶデータ受信装置１０２の赤外線信号受信部５５３で受信された後、無線通信用の信号に変換されてアンテナ５４１から送信される。そして、この信号がＡＶデータ受信装置１０１のアンテナ５１１で受信されると、赤外線信号に変換されて赤外線信号送信部５１７から送信された後、ＡＶソース機器１の赤外線信号受信部１２で受信されて、リモコン１１で指示された動作をＡＶソース機器１が行う。
【０００６】
又、もう１つのＡＶデータ用の無線通信システムＹは、ＡＶソース機器の機能を備えたＡＶデータ送信装置１０３のアンテナ５１１からＡＶデータが送信されると、このＡＶデータがＡＶ再生装置の機能を備えたＡＶデータ受信装置１０４のアンテナ５４１で受信され、ＡＶデータ受信装置１０４によってＡＶデータが投影されてスクリーン１３に再生表示される。又、ＡＶデータ送信装置１０３を操作するためにリモコン１４が操作されると、赤外線信号がＡＶデータ受信装置１０４の赤外線信号受信部５５３で受信された後、無線通信用の信号に変換されてアンテナ５４１から送信される。そして、この信号がＡＶデータ受信装置１０３のアンテナ５１１で受信されると、リモコン１３で指示された動作をＡＶ受信装置１０３が行う。
【０００７】
又、上述のＡＶデータ送信装置１０１は、図３９に示すように、ＮＴＳＣ等のアナログＡＶデータを入力するアナログ入力部５０２とデジタル信号を入力するデジタル入力部５０１がある。アナログデータは、Ａ／Ｄ変換部（以下、「Ａ／Ｄ」とする）５０３でデジタル化され、ＭＰＥＧ部５０４でエンコードされ、各種データはデータ生成部５０５で整理され、誤り訂正符号化処理部５０６で誤り符号が付加され、データスクランブル部５０７で暗号化（スクランブル）され、ベースバンド（以下、「ＢＢ」とする）５０９、高周波増幅回路（以下、「ＲＦ」とする）５１０、アンテナ５１１という経路でＡＶデータ受信側に送信される。このとき、データスクランブル部５０７でスクランブルするために使用されるＩＤはＩＤ記憶部５２０に記憶されている。入力されるデータがデジタルデータである場合、デジタル入力部５０１から直接データ生成部５０５に与えられる。
【０００８】
図４０に示す構成のＡＶデータ受信装置１０２では、アンテナ５４１，ＲＦ５４２、ＢＢ５４３を介して受信され、スクランブル解除部５４４でスクランブルを解除し、データ解析部５４５でＡＶデータの振り分けや不足等が判定され、ＭＰＥＧ部５４６でデコードされ、Ｄ／Ａ変換部（以下、「Ｄ／Ａ」とする）５４７でアナログ信号に変換され、アナログ出力部５４８でＮＴＳＣ等のデータとして出力される。このとき、スクランブル解除部５４４でスクランブルを解除するために使用されるＩＤがＩＤ記憶部５６０に記憶されている。又、デジタルデータを出力する場合、データ解析部５４５からのデータがデジタル出力部解析部５４９及びデジタル出力部５５０を介して出力される。
【０００９】
又、ＡＶデータ受信装置１０２は、データ解析部５４５において正確に受信されなかったパケットの判定を行う。この判定結果より、受信されなかったパケットの再送要求パケットが再送要求パケット生成部５５８で生成される。更に、ＡＶデータ受信装置１０２は、ＡＶソース機器１を制御するための信号を入力する操作部５５１と、リモコン１１からの赤外線信号を受信する赤外線信号受信部５５３を備える。そして、操作部５５１からのデータが入力データ変換部５５２で変換され、赤外線信号受信部５５３で受信された信号がリモコンデータ変換部５５４で変換される。この変換されたデータによるパケットと再送要求パケット生成部５５８からの再送要求パケットから送信データがデータ生成部５５５で生成され、誤り訂正符号付加部５５６で誤り訂正符号が付加される。そして、この送信データが、データスクランブル部５５７でスクランブルされた後、ＢＢ５４３及びＲＦ５４２及びアンテナ５４１を介して送信される。
【００１０】
そして、ＡＶデータ送信機１０１で、アンテナ５１１及びＲＦ５１０及びＢＢ５０９を介して受信すると、スクランブル解除部５１２でスクランブルを解除し、データ解析部５１３においてＡＶデータ受信部１０２で正確に受信されなかったパケットの判定とデータの整理を行い、再送要求が必要な場合は再送要求パケット生成部５１４で再送要求されたＡＶデータのデータパケットが生成さる。又、データ解析部５１３で得られたＡＶソース機器１を操作するデータは、リモコンデータ解析部５１６でリモコン信号に変換され、赤外線信号送信部５１７から赤外線信号として出力される。リモコン信号以外のデジタルデータは、デジタルデータ解析部５１８を介して、デジタルデータ出力部５１９より出力される。
【００１１】
又、ＡＶデータ送信装置１０３は、デジタル入力部５０１及びアナログ入力部５０２及びリモコン出力部５１７及びデジタルデータ出力部５１９の代わりに、ＡＶソース機器１の機能を備える。又、ＡＶデータ受信装置１０４は、アナログ出力部５４８及びデジタル出力部５５０の代わりに、ＡＶ再生装置２の機能を備える。
【００１２】
図３８において、無線通信システムＸを構成するＡＶデータ送信装置１０１及びＡＶデータ受信装置１０２に記録されたＩＤコードは、Ａで固定されている。一方、無線通信システムＹを構成するＡＶデータ送信装置１０３及びＡＶデータ受信装置１０４のＩＤコードは、Ｂで固定されている。このため、同じＩＤコードを持ったＡＶデータ送信装置１０１とＡＶデータ受信装置１０２の組合せ及びＡＶデータ送信装置１０３とＡＶデータ受信装置１０４の組合せそれぞれでＡＶデータの無線伝送が可能となる。又、無線通信システムＸ，Ｙそれぞれで与えられるＩＤコードＡ，Ｂは、出荷時に決められた値に固定される。
【００１３】
又、従来の技術として、給湯器本体とそれを制御するリモコンの間でＩＤを通信により送受信し、最新のリモコンのみを使用可能とする給湯器が提供されている（特許文献１参照）。更に、増設親機が自己のＩＤを送信し、このＩＤを受信した他の増設親機は受信したＩＤとは異なったＩＤを使用するインターホンが提供されている（特許文献２参照）。
【００１４】
【特許文献１】
特開平７−２５５０８９号公報
【特許文献２】
特開平１１−２８４７５４号公報
【００１５】
【発明が解決しようとする課題】
図３８のＡＶデータの無線通信システムでは、予め定められたＡＶ機器の組合せでしか、ＡＶデータの無線伝送が実現できず、無線で自由な場所で自由なＡＶデータソースを楽しむことが制限されている。しかしながら、スクランブルなどの暗号化を行った無線で伝送されたＡＶデータを受信してスクランブル解除、復号化を実施出来るＡＶデータ受信装置が同時に多数存在した場合、多数のＡＶデータ受信装置で多数の者が視聴できるようになり、ＡＶソース作成者の著作権を侵害することが考えられる。
【００１６】
又、スクランブル設定、解除、暗号化、復号化に関わるコードが自由に設定できるシステムの場合、盗聴などされる恐れがある。更に、再送等を行うシステムでは、複数のＡＶデータ受信装置がシステム内に存在し、それぞれが無秩序に再送要求を行うことにより、再送要求が集中したときの帯域不足や、ＡＶデータ受信装置の安定受信の妨害などが生じる恐れがある。
【００１７】
又、特許文献１によって提供される給湯器におけるＩＤ管理方法では、最新のＩＤコードのみが有効になるシステムであるため、複数の機器に同じＩＤコードを設定することができない。又、同じＩＤコードを再度設定することが出来ないため、このＩＤ管理方法をＡＶデータの無線通信システムに利用したとき、一度他のＡＶデータ送信機又はＡＶデータ受信装置との通信接続を行うために、ＩＤを変更すると、元のＩＤに戻せないことになり、元の組合せの無線通信が出来なくなる。
【００１８】
又、特許文献２で提供されるインターホンに利用されるＩＤ設定方法では、増設親機同士で通信出来る範囲でＩＤが重複することがないにしても、別の場所でＩＤが設定された増設親機と同じＩＤとなる可能性もある。このインターホンの場合は一度設置すれば移動させることは少なく、電源が切られている場合も少ないため、このような構成でよいが、ＡＶ機器の場合は移動する場合も、電源が切られている場合もあり、通信可能な範囲内で複数のＡＶ機器のＩＤが同じになる可能性がある。又、通信を行うたびに、他のＡＶ機器のＩＤを確認して異なるＩＤに設定する必要がある。
【００１９】
このような問題を鑑みて、本発明は、盗聴や無秩序な送受信を行うことなく、ＡＶデータ受信を許可したＡＶデータ受信装置とＡＶデータ送信装置との間でのみ無線ＡＶデータ伝送が可能なシステムを自由に構築できるＡＶデータ無線通信システムを提供することを目的とする。又、本発明は、このようなＡＶデータ無線通信システムにおけるＡＶデータ送信装置又はＡＶデータ受信装置を提供することを別の目的とする。又、本発明は、このようなＡＶデータ無線通信システムにおいて利用される電子機器を提供することを別の目的とする。
【００２０】
【課題を解決するための手段】
上記目的を達成するために本発明のＡＶデータ無線通信システムは、音声や映像を含むＡＶデータ信号を通信用鍵信号で暗号化して送信するＡＶデータ送信装置と、受信したＡＶデータ信号を暗号化解除するＡＶデータ受信装置とで構成されるＡＶデータ無線通信システムにおいて、前記ＡＶデータ送信装置及び前記ＡＶデータ受信装置の一方を第１通信装置とし、他方を第２通信装置としたとき、前記第１通信装置が前記第２通信装置に通信用鍵信号を要求したとき、前記第２通信装置において、該第２通信装置が備える通信用鍵信号より２つ以上の設定用鍵信号を生成し、当該設定用鍵信号と同数の異なる伝送媒体を利用して、当該設定用鍵信号を全て前記第１通信装置に送信し、前記第１通信装置において、受信した全ての前記設定用鍵信号によって元の前記通信用鍵信号を復元して格納し、前記第２通信装置との通信を確立することを特徴とする。
【００２１】
このようなＡＶデータ無線通信システムにおいて、前記伝送媒体の一つが、前記ＡＶデータ信号が送受信される際に利用される伝送媒体とする。即ち、ＡＶデータ信号無線通信用の伝送路が伝送媒体として用いられる。又、前記伝送媒体の一つが第３の電子機器を仲介する伝送媒体であり、前記第２通信装置から前記設定用鍵信号の１つが前記電子機器に送信されて、該電子機器に該設定用鍵信号が格納された後、該電子機器から該設定用鍵信号が前記第１通信装置に送信される。又、伝送媒体として、無線通信用の周波数帯域の異なる伝送路を使用するようにしても構わない。
【００２２】
又、本発明のＡＶデータ無線通信システムは、音声や映像を含むＡＶデータ信号を通信用鍵信号で暗号化して送信するＡＶデータ送信装置と、受信したＡＶデータ信号を暗号化解除するＡＶデータ受信装置とで構成されるＡＶデータ無線通信システムにおいて、前記ＡＶデータ送信装置及び前記ＡＶデータ受信装置の一方を第１通信装置とし、他方を第２通信装置としたとき、前記第１通信装置が前記第２通信装置に通信用鍵信号を要求したとき、前記第２通信装置において、該第２通信装置が備える通信用鍵信号より第１設定用鍵信号及び第２設定用鍵信号を生成して、第１伝送媒体を利用して当該第１設定用鍵信号を前記第１通信装置に送信するとともに、第２伝送媒体を利用して当該第２設定用鍵信号を前記第１通信装置に送信し、前記第１通信装置において、受信した前記第１設定用鍵信号及び前記第２設定用鍵信号によって元の前記通信用鍵信号を復元して格納し、前記第２通信装置との通信を確立することを特徴とする。
【００２３】
このようなＡＶデータ無線通信システムにおいて、前記第２通信装置において、前記第１設定用鍵信号及び前記第２設定用鍵信号が、生成されるタイミングに応じて異なる信号である。このとき、前記第１通信装置及び前記第２通信装置において、時刻情報を一致させ、前記第２通信装置において、前記第１設定用鍵信号及び前記第２設定用鍵信号を生成する際に生成時の時刻情報を利用して、毎回異なる前記第１設定用鍵信号及び前記第２設定用鍵信号を生成するようにしても構わない。
【００２４】
このようにしたとき、前記第１通信装置において、前記第１設定用鍵信号及び前記第２設定用鍵信号から前記通信用鍵信号を復元する際、時刻情報を利用して復元する。更に、前記第１通信装置において、前記第１設定用鍵信号及び前記第２設定用鍵信号から前記通信用鍵信号を復元する際、時刻情報を所定時間分変化させて利用する。このとき、時刻情報の下位ビット分が加算又は減算されることによって時刻情報が変化される。
【００２５】
又、前記第１設定用鍵信号及び前記第２設定用鍵信号の少なくとも一方が、特定の期間に前記第２通信装置から前記第１通信装置に送信される。このとき、特定の操作をしている間や特定の操作後一定の期間に前記特定の期間としても構わない。
【００２６】
又、前記第１通信装置が前記第１設定用鍵信号を受信したとき、前記第２通信装置に対して前記第２設定用鍵信号の送信を要求する。このとき、前記第２通信装置が、前記第２設定用鍵信号の送信要求が成されてから一定期間の間、前記第２設定用鍵信号の送信を行う。又、前記第１通信端末において、前記第１設定用鍵信号の受信を確認してから前記第２設定用鍵信号が受信可能となるようにしても構わない。
【００２７】
又、上述のＡＶデータ無線通信システムにおいて、前記第２通信装置が、前記第１通信装置より前記通信用鍵信号が生成されて格納されたことを示す切換完了信号を受信したとき、前記第２設定用鍵信号の送信を終了する。このとき、前記第２伝送媒体により前記切換完了信号が送受信されるようにしても構わない。
【００２８】
又、前記第１通信装置及び前記第２通信装置の少なくとも一方が、他方の通信装置の認証を行うための通信装置用認証コードを備えるようにしても構わないし、他方の通信装置に認証されるための通信装置用認証コードを備えるようにしても構わない。更に、前記第２通信装置が前記第１通信装置の認証を行うための通信装置用認証コードを備え、前記第２通信装置から前記第１伝送媒体を通じて前記第１通信装置へ該通信装置用認証コードが送信された後、前記第１通信装置が該通信装置用認証コードを確認し、該通信用認証コードを前記第２通信装置に送信し、前記第１通信装置から送信された該通信装置用認証コードを前記第２通信装置が受信し、受信した該通信装置用認証コードと当該第２通信装置が格納している前記通信用認証コードとによって前記第１通信装置の認証を行うようにしても構わない。
【００２９】
又、上述の各ＡＶデータ無線通システムにおいて、前記第１伝送媒体及び前記第２伝送媒体の一方が、前記ＡＶデータ信号が送受信される際に利用される伝送媒体である。即ち、ＡＶデータ信号無線通信用の伝送路が伝送媒体として用いられる。又、伝送媒体として、無線通信用の周波数帯域の異なる伝送路を使用するようにしても構わない。
【００３０】
又、上述の各ＡＶデータ無線通システムにおいて、前記第１伝送媒体及び前記第２伝送媒体の一方が第３の電子機器を仲介する伝送媒体であり、前記第２通信装置から前記第１設定用鍵信号及び前記第２設定用鍵信号の一方が前記電子機器に送信されて、該電子機器に該設定用鍵信号が格納された後、該電子機器から該設定用鍵信号が前記第１通信装置に送信される。
【００３１】
このようなＡＶデータ無線通信システムにおいて、記電子機器が前記第１通信装置に前記設定用鍵信号を送信した後、格納した前記設定用鍵信号を削除する。このとき、前記電子機器が、前記第１通信装置より前記通信用鍵信号が生成されて格納されたことを示す切換完了信号を受信したとき、格納した前記設定用鍵信号を削除する。
【００３２】
更に、前記電子機器が前記第１通信装置及び前記第２通信装置の少なくとも一方で認証される電子機器用認証コードを備えるようにしても構わない。このとき、前記電子機器より前記第２通信装置に前記電子機器用認証コードが送信され、前記第２通信装置が該電子機器用認証コードより前記電子機器を認証した後に、前記設定用鍵信号を前記電子機器に送信する。更に、前記電子機器より前記第１通信装置に前記電子機器用認証コードが送信され、前記第１通信装置が該電子機器用認証コードより前記電子機器を認証した後に、前記設定用鍵信号を前記電子機器から受信する。
【００３３】
又、前記第２通信装置が前記第１通信装置の認証を行うための通信装置用認証コードを備え、前記第２通信装置から前記電子機器へ該通信装置用認証コードが送信されて格納された後、前記電子機器から前記第１通信装置へ該通信装置用認証コードが送信され、前記第１通信装置が該通信装置用認証コードを確認し、該通信用認証コードを前記第２通信装置に送信し、前記第１通信装置から送信された該通信装置用認証コードを前記第２通信装置が受信し、受信した該通信装置用認証コードと当該第２通信装置が格納している前記通信用認証コードとによって前記第１通信装置の認証を行うようにしても構わない。
【００３４】
又、前記第１通信装置及び前記第２通信装置がそれぞれ、認証するための第１通信装置用認証コード及び第２通信装置用認証コードを備え、前記第２通信装置から前記電子機器へ前記第２通信装置用認証コードが送信されて格納された後、前記第１通信装置から前記電子機器へ前記第１通信装置用認証コードが送信され、前記電子機器において、受信した前記第１通信装置用認証コードと格納した前記第２通信装置用認証コードとによって前記第１通信装置の認証を行うようにしても構わない。
【００３５】
又、前記第１通信装置及び前記第２通信装置が、前記電子機器と通信可能な状態にあることが報知される接続状態報知部を備えるようにしても構わない。このとき、前記接続状態報知部によって前記電子機器と通信可能な状態になったことを前記第１通信装置及び前記第２通信装置が確認したとき、前記電子機器に通信可能な状態にあることを通知する。
【００３６】
更に、このとき、前記電子機器が、前記第１通信装置及び前記第２通信装置と光通信するリモートコントローラであり、前記第１通信装置及び前記第２通信装置それぞれが、当該電子機器専用の第１受発光部と、前記第１通信装置及び前記第２通信装置を操作する当該電子機器と別のリモートコントローラと光通信を行うための第２受発光部と、を備え、前記第１通信装置及び前記第２装置において、前記接続状態報知部によって前記電子機器と通信可能な状態になったことが確認されると、前記第１受発光部が発光動作を行うことで前記電子機器に通信可能になったことを通知する。
【００３７】
又、このように構成したとき、前記第１通信装置及び前記第２通信装置が、前記第１受発光部が装置内部に設けられるとともに、前記第１受発光部を覆う蓋部を備え、該蓋部が開かれて前記電子機器が挿入され、前記第１受発光部に対面したとき、前記接続状態報知部によって前記電子機器と通信可能な状態になったことが確認される
【００３８】
又、前記接続状態報知部として、前記蓋部の開閉に応じて動作するスイッチとしても構わない。又、前記電子機器をメモリカードやＩＣカードなどとして、前記電子機器がインターフェースに接続されたとき、又は、無線応答を行ったときに前記接続状態報知部が通信接続を確認するようにしても構わない。
【００３９】
又、このような電子機器を利用するＡＶデータ無線通信装置において、前記電子機器を前記第１通信装置及び前記第２通信装置と有線通信を行うものとしても構わないし、前記第１通信装置及び前記第２通信装置と無線通信を行うものとしても構わない。更に、前記電子機器を、前記第１通信装置及び前記第２通信装置の少なくとも一方を操作する操作信号を送信するリモートコントローラとしても構わない。
【００４０】
又、本発明の電子機器は、上述のようなＡＶデータ無線通信システムで利用される電子機器であることを特徴とする。
【００４１】
又、上述のＡＶデータ無線通信システムにおいて、前記第１通信装置が、前記第１伝送媒体と接続される第１インターフェースと、前記第２伝送媒体と接続される第２インターフェースと、前記通信用暗号鍵を格納する暗号鍵格納部と、前記第１インターフェース及び前記第２インターフェースそれぞれから入力された前記第１設定用鍵信号及び前記第２設定用鍵信号を用いた特定の演算処理を行うことによって前記通信用暗号鍵を生成して、前記暗号鍵格納部に格納する暗号鍵切換制御部と、を備える。
【００４２】
又、上述のＡＶデータ無線通信システムにおいて、前記第２通信装置が、前記通信用暗号鍵を格納する暗号鍵格納部と、前記第１伝送媒体と接続される第１インターフェースと、前記第２伝送媒体と接続される第２インターフェースと、前記通信用暗号鍵の要求を確認したとき、前記暗号鍵格納部に格納された前記通信用暗号鍵を読み出して、特定の演算処理を行って前記第１設定用鍵信号及び前記第２設定用鍵信号を生成する設定用鍵信号生成部と、を備え前記設定用鍵信号生成部で生成された前記第１設定用鍵信号及び前記第２設定用鍵信号がそれぞれ、前記第１インターフェース及び前記第２インターフェースを介して前記第１伝送媒体及び前記第２伝送媒体に出力される。
【００４３】
又、本発明のＡＶデータ送信装置は、上述のＡＶデータ無線通信システムにおける前記第１通信装置又は前記第２通信装置となる。ＡＶデータ送信装置が前記第２通信装置となるとき、ＡＶデータ送信装置とＡＶデータ受信装置との関係を１対複数とすることができる。このとき、ＡＶデータ送信装置において、ＡＶデータ信号の受信可能なＡＶデータ受信装置の数を制限するようにしても構わない。
【００４４】
又、本発明のＡＶデータ受信装置は、上述のＡＶデータ無線通信システムにおける前記第１通信装置又は前記第２通信装置となる。ＡＶデータ送信装置が前記第２通信装置となるとき、ＡＶデータ送信装置とＡＶデータ受信装置との関係が１対１となる。
【００４５】
【発明の実施の形態】
＜第１の実施形態＞
本発明の第１の実施形態について、図面を参照して以下に説明する。図１は、本実施形態におけるＡＶデータ無線通信システムの構成を示すブロック図である。図２及び図３は、ＡＶデータ送信装置及びＡＶデータ受信装置の内部構成を示すブロック図である。尚、この図２及び図３において、図３９及び図４０と同一の部分については、同一の符号を付してその詳細な説明は省略する。図４は、ＩＤ管理用リモコンの内部構成を示すブロック図である。
【００４６】
図１のＡＶデータ無線通信システムは、ＡＶソース機器１と有線接続されたＡＶデータ送信装置３と、ＡＶ再生装置２と有線接続されたＡＶデータ受信装置４と、ＡＶデータ送信装置３及びＡＶデータ受信装置４と赤外線通信を行うリモートコントローラ（リモコン）５とによって構成される。よって、ＩＤコードＡでＡＶデータ送信装置３がＡＶデータ信号を暗号化して送信しているとき、ユーザがＡＶデータ受信装置４と有線接続したＡＶ再生装置２でＡＶソース機器１によるＡＶデータの再生を求めると、まず、リモコン５とＡＶデータ送信装置３との間で赤外線通信を行う。
【００４７】
このとき、ＡＶデータ送信装置３は、ＩＤコードＡを暗号化したＩＤコードαを生成するとともに、このＩＤコードαの暗号化を解除するための解読コードａを生成する。そして、ＩＤコードαが赤外線通信によりリモコン５に送信され、ＩＤコードαはリモコン５に格納される。又、解読コードａは、ＡＶデータ送信装置３より無線送信される。その後、ＩＤコードαを格納したリモコン５がＡＶデータ受信装置４と赤外線通信を行い、ＡＶデータ受信装置４がＩＤコードαを受信する。
【００４８】
このとき、ＡＶデータ受信装置４は、ＡＶデータ送信装置３より無線送信される解読コードａを受信し、この解読コードａを用いてＩＤコードαの暗号化解除を行い、ＩＤコードＡを確認する。よって、ＡＶデータ受信装置４は、ＩＤコードＡによってＡＶデータ送信装置３からのＡＶデータ信号を暗号化解除することができ、ＡＶデータ送信装置３とのＡＶデータ通信が許可される。
【００４９】
このようなＡＶデータ無線通信システムにおいて、ＡＶデータ送信装置３は、図２のような構成となる。即ち、図３９の構成に、ＩＤ記憶部５２０に格納されたＩＤコードの暗号化及び解読コードの生成を行うコード生成部５２５と、コード生成部５２５で生成された解読コードに誤り訂正符号を付加する誤り訂正符号付加部５０６ａと、リモコン５からの赤外線信号を受信する赤外線信号受信部５２６と、赤外線信号受信部５２６で受信した赤外線信号を解析しデジタルデータとするリモコンデータ変換部５２７とを付加した構成となる。このとき、リモコンデータ解析部５１６では、データ解析部５１３及びコード生成部５２５からのデジタルデータを解析して赤外線信号送信部５１７に与える。
【００５０】
又、ＡＶデータ受信装置４は、図３のように、図４０の構成に、受信した解読コードにより暗号化されたＩＤコードの暗号化解除をするとともにＩＤ記憶部５６０のＩＤコードの切換を行うＩＤ切換制御部５６６と、ＩＤ切換制御部５６６より切換完了を示す切換完了信号となるデジタルデータを解析するリモコンデータ解析部５６７と、リモコンデータ解析部５６７で解析されたデジタルデータに基づく赤外線信号を送信する赤外線信号送信部５６８と、ＢＢ５４３からのデータを誤り訂正符号に基づいて解析した後にＩＤ切換制御部５６６に送出するデータ解析部５４５ａとを付加する構成となる。このとき、リモコンデータ変換部５５４では、リモコン５から受信されて得たデジタルデータをＩＤ切換制御部５６６に直接送出する。
【００５１】
又、リモコン５は、図４のように、ＡＶデータ送信装置３又はＡＶデータ受信装置４からの赤外線信号を受信する赤外線信号受信部５８１と、ＡＶデータ送信装置３又はＡＶデータ受信装置４へ赤外線信号を送信する赤外線信号送信部５８２と、リモコン５全体の制御を行う制御部５８３と、赤外線信号受信部５８１で受信された赤外線信号より制御部５８３で確認されたＩＤコードを格納するＩＤ記憶部５８４と、操作部５８５とを備える。
【００５２】
このように、ＡＶデータ送信装置３及びＡＶデータ受信装置４及びリモコン５が構成されるとき、ＡＶデータ送信装置３及びＡＶデータ受信装置４との間でＡＶデータ無線通信システムを構成するためにＩＤコードを設定する際の各装置の動作について、以下に図５を参照して説明する。図５は、このＩＤコード設定時における各装置の動作を示すタイミングチャートである。
【００５３】
まず、リモコン５がＡＶデータ送信装置３と赤外線通信可能な位置に配置されると、リモコン５において、操作部５８５が操作されて制御部５８３でＡＶデータ送信装置３にＩＤコードの送信を要求するＩＤ要求信号を生成し、赤外線信号送信部５８２より赤外線信号として送信する（ＳＴＥＰ１）。そして、ＡＶデータ送信装置３が赤外線信号受信部５２６でＩＤ要求信号である赤外線信号を受信するとリモコンデータ変換部５２７でデジタルデータに変換しコード生成部５２５に与えて、ＩＤコードの送信要求であることを確認する（ＳＴＥＰ２）。
【００５４】
そして、コード生成部５２５では、ＩＤ記憶部５２０に格納されているＩＤコード（以下、このＩＤコードを通信用ＩＤコード）を読み出して（ＳＴＥＰ３）、この通信用ＩＤコードを暗号化して暗号化ＩＤコードとこの暗号化ＩＤコードを暗号化解除するための解読コードとを生成する（ＳＴＥＰ４）。このときの通信用ＩＤコードの暗号化動作は、例えば、図６のフローチャートに従って動作することによって行われる。即ち、まず、乱数を発生して（ＳＴＥＰ２１）、次に、この乱数を用いて通信用ＩＤコードを暗号化して暗号化ＩＤコードを生成する（ＳＴＥＰ２２）。そして、最後に、暗号化ＩＤコードを元の通信用ＩＤコードに暗号化解除するための解読コードを生成する（ＳＴＥＰ２３）。
【００５５】
このようにして生成した暗号化ＩＤコードをリモコンデータ解析部５１６を介して赤外線信号送信部５１７に与えて、暗号化ＩＤコードの情報を含む赤外線信号としてリモコン５に送信する（ＳＴＥＰ５）。そして、リモコン５は、この赤外線信号を赤外線信号受信部５８１で受信すると（ＳＴＥＰ６）、制御部５８３において赤外線信号より暗号化ＩＤコードを確認し、ＩＤ記憶部５８４に格納する（ＳＴＥＰ７）。
【００５６】
又、暗号化ＩＤコード及び解読コードを生成したＡＶデータ送信装置３は、ＳＴＥＰ５で暗号化ＩＤコードを含む赤外線信号を送信した後、暗号化ＩＤコードと同時に生成した解読コードを誤り訂正符号付加部５０６ａに与えて誤り訂正符号を付加してＢＢ５０９及びＲＦ５１０及びアンテナ５１１を介して送信する（ＳＴＥＰ８）。この解読コードの送信は、ＡＶデータ受信装置４により受信が確認されるまで送信し続けられる。
【００５７】
又、ＩＤ記憶部５８４に暗号化ＩＤコードが格納されたリモコン５がＡＶデータ受信装置４と赤外線通信可能な位置に配置されると、リモコン５において、操作部５８５が操作されて制御部５８３によってＩＤ記憶部５８４より暗号化ＩＤコードが読み出されて、赤外線信号送信部５８２より暗号化ＩＤコードを情報として含む赤外線信号として送信する（ＳＴＥＰ９）。そして、ＡＶデータ受信装置４が、この暗号化ＩＤコードを含む赤外線信号を赤外線信号受信部５５３で受信すると、リモコンデータ変換部５５４でデジタルデータに変換した後、ＩＤ切換制御部５６６に送出する（ＳＴＥＰ１０）。
【００５８】
このようにＩＤ切換制御部５６６に暗号化ＩＤコードが受信されると、ＡＶデータ送信装置３より連続的に送信されている解読コードを受信し、アンテナ５４１及びＲＦ５４２及びＢＢ５４３を介してデータ解析部５４５ａで誤り訂正符号によるデータ解析を行った後、ＩＤ切換制御部５６６に送出する（ＳＴＥＰ１１）。そして、ＩＤ切換制御部５６６では、ＳＴＥＰ１０で受信した暗号化ＩＤコードをＳＴＥＰ１１で受信した解読コードを用いて暗号化解除を行う（ＳＴＥＰ１２）。
【００５９】
ＳＴＥＰ１２で暗号化解除を行うと、暗号化解除することで得られた通信用ＩＤコードに切り換えるように、この通信用ＩＤコードがＩＤ切換制御部５６６によってＩＤ記憶部５６０に格納される（ＳＴＥＰ１３）。このとき、切り換える前にＩＤ記憶部５６０に格納されていた通信用ＩＤコードは削除される。このようにしてＩＤ記憶部５６０に格納される通信用ＩＤコードの切換が終了すると、ＩＤコードの切換が終了したことを示す切換完了信号がＩＤ切換制御部５６６で生成されて、リモコンデータ解析部５６７を介して赤外線信号送信部５６８より赤外線信号として送信される（ＳＴＥＰ１４）。
【００６０】
リモコン５が、この切換完了信号となる赤外線信号を赤外線信号受信部５８１で受信すると、制御部５８３に切換完了信号が与えられて、ＡＶデータ受信装置４で通信用ＩＤコードの切換が正常に行われたことを確認する（ＳＴＥＰ１５）。そして、制御部５８３によってＩＤ記憶部５８４に格納している通信用ＩＤコードが削除される（ＳＴＥＰ１６）。
【００６１】
又、ＡＶデータ受信装置４では、切換完了信号を赤外線信号としてＳＴＥＰ１４で送信するとともに、ＩＤ切換制御部５６６で生成した切換完了信号に誤り訂正符号付加部５５６で誤り訂正符号を付加した後、データスクランブル部５５７でＩＤ記憶部５６０に新たに切り換えられた格納された通信用ＩＤコードを用いて暗号化し、ＢＢ５４３及びＲＦ５４２及びアンテナ５４１を介して送信する（ＳＴＥＰ１７）。
【００６２】
ＡＶデータ送信装置３において、新たに切り換えられた通信用ＩＤコードによって暗号化された切換完了信号をアンテナ５１１及びＲＦ５１０及びＢＢ５０９で受信すると、スクランブル解除部５１２においてＩＤ記憶部５２０内の通信用ＩＤコードで暗号化解除された後、データ解析部５１３で切換完了信号であることが確認される（ＳＴＥＰ１８）。そして、この切換完了信号がコード生成部５２５に与えられると、ＡＶデータ受信装置４において解読コードが受信されて通信用ＩＤコードの切換が完了したことを確認し、解読コードの送信を終了する（ＳＴＥＰ１９）。
【００６３】
このように、ＡＶデータ送信装置３及びＡＶデータ受信装置４及びリモコン５が動作することによって、ＡＶデータ受信装置４内にＡＶデータ送信装置３が格納する通信用ＩＤコードが格納され、この通信用ＩＤコードによって暗号化されたＡＶデータ信号をＡＶデータ受信装置が暗号化解除することができるようになる。
【００６４】
このように、ＡＶデータ受信装置４の通信用ＩＤコードを切り換える際における基本動作が行われるとき、この基本動作が正常に通信用ＩＤコードを切り換えたときの動作を示したものであるため、正常に通信用ＩＤコードが切り換えられなかった場合を考慮したとき、ＡＶデータ送信装置３及びリモコン５はそれぞれ、更に、図７及び図８のフローチャートに従った動作を行う。尚、図７及び図８のフローチャートにおいて、図５のタイミングチャートと同一の動作については同一の符号を付してその詳細な説明は省略する。
【００６５】
ＡＶデータ送信装置３は、図７のフローチャートのように、リモコン５からのＩＤ要求信号を受信すると、ＩＤ記憶部５２０内の通信用ＩＤコードを確認して暗号化ＩＤコード及び解読コードを生成し、暗号化ＩＤコードを送信した後、解読コードの送信を開始する（ＳＴＥＰ２〜ＴＥＰ５、ＳＴＥＰ８）。このように、コード生成部５２５で生成された解読コードをアンテナ５１１より送信開始すると、コード生成部５２５内の不図示のタイマにより解読コードを送信する制限時間を設定する（ＳＴＥＰ３０）。
【００６６】
そして、解読コードの送信を開始してから制限時間が経過したか否かがコード生成部５２５で確認され（ＳＴＥＰ３１）、制限時間が経過していないとき（Ｎｏ）、ＡＶデータ受信装置４から送信される切換完了信号を受信したか否かが確認される（ＳＴＥＰ３２）。このとき、図５のＳＴＥＰ１８のように切換完了信号を受信したことをデータ解析部５１３で確認すると（Ｙｅｓ）、解読コードの送信を終了する（ＳＴＥＰ１９）。又、ＳＴＥＰ３１で制限時間が経過したことが確認されたとき（Ｙｅｓ）、ＳＴＥＰ１９に移行して解読コードの送信を終了する。更に、ＳＴＥＰ３２において切換完了信号の受信が確認されなかったとき（Ｎｏ）、ＳＴＥＰ３１に移行して制限時間が経過したか確認する。
【００６７】
又、リモコン５は、図８のフローチャートのように、ＡＶデータ受信装置４にＩＤ記憶部５８４に格納した暗号化ＩＤコードを送信すると（ＳＴＥＰ９）、ＩＤ記憶部５８４に暗号化ＩＤコードを格納する制限時間を設定する（ＳＴＥＰ３５）。そして、暗号化ＩＤコードの送信後制限時間が経過したか否かが制御部５８３で確認され（ＳＴＥＰ３６）、制限時間が経過していないとき（Ｎｏ）、ＡＶデータ受信装置４から送信される切換完了信号を受信したか否かが確認される（ＳＴＥＰ３７）。
【００６８】
このとき、図５のＳＴＥＰ１５のように切換完了信号を受信したことを制御部５８３で確認すると（Ｙｅｓ）、ＩＤ記憶部５８４内の暗号化ＩＤコードを削除する（ＳＴＥＰ１６）。又、ＳＴＥＰ３６で制限時間が経過したことが確認されたとき（Ｙｅｓ）、ＳＴＥＰ１６に移行して暗号化ＩＤコードをＩＤ記憶部５８４から削除する。更に、ＳＴＥＰ３７において切換完了信号の受信が確認されなかったとき（Ｎｏ）、ＳＴＥＰ３６に移行して制限時間が経過したか確認する。
【００６９】
ＡＶデータ無線通信システムにおけるＩＤコード設定時に、このように各装置が動作するとき、１台のＡＶデータ送信装置３と複数台のＡＶデータ受信装置４とによるシステムにおける動作例について、図９の状態遷移図を参照して説明する。
【００７０】
今、図９（ａ）のように、通信用ＩＤコードとしてＩＤ記憶部５２０にＩＤコードＡを格納しているＡＶデータ送信装置３とＡＶデータ受信装置４ａ〜４ｃとリモコン５とがあるものとする。又、このとき、ＡＶデータ受信装置４ａは既に通信用ＩＤコードとしてＩＤ記憶部５６０にＩＤコードＡを格納し、ＡＶデータ送信装置３からのＡＶデータ信号を受信可能な状態にある。
【００７１】
このように、ＩＤコードＡで暗号化されたＡＶデータ信号がＡＶデータ送信装置３より送信されて、ＡＶデータ受信装置４ａで受信されているときに、リモコン５によってＩＤ要求信号が送信されると、図９（ｂ）のようにＩＤコードＡが暗号化された暗号化ＩＤコードであるＩＤコードα１がＡＶデータ送信装置３からリモコン５に送信され、ＩＤ記憶部５８４に格納される。又、ＡＶデータ送信装置３のコード生成部５２５においてＩＤコードα１の生成と同時に解読コードａ１が生成される。
【００７２】
そして、ＩＤコードα１を格納したリモコン５がＡＶデータ受信装置４ｂと赤外線通信を行うことによってＡＶデータ受信装置４ｂがＩＤコードα１を受信し、ＡＶデータ送信装置３から送信された解読コードａ１をＡＶデータ受信装置４ｂが受信する。ＡＶデータ受信装置４ｂにおいて、このように受信したＩＤコードα１及び解読コードａ１がＩＤ切換制御部５６６に与えられ、ＩＤ切換制御部５６６で、ＩＤコードαが解読コードａ１を用いて暗号化解除され、ＩＤコードＡが通信用ＩＤコードとして得られる。
【００７３】
よって、図９（ｃ）のように、ＡＶデータ受信装置４ｂがＩＤコードＡをＩＤ記憶部５６０に格納し、ＡＶデータ送信装置３から送信されるＩＤコードＡで暗号化されたＡＶデータ信号を暗号化解除することができる。即ち、ＡＶデータ送信装置３からのＡＶデータ信号がＡＶデータ受信装置４ａ，４ｂにおいて受信可能となる。又、このとき、リモコン５のＩＤ記憶部５８４に格納されたＩＤコードα１は削除される。その後、同様に、リモコン５よりＡＶデータ送信装置３にＩＤ要求信号が送信されると、図９（ｄ）のように、ＩＤコードＡが暗号化されたＩＤコードα２がリモコン５を介してＡＶデータ受信装置４に送信されるとともに、ＩＤコードα２と同時に生成された解読コードａ２が無線送信されて、ＡＶデータ受信装置４ｃによって受信される。
【００７４】
そして、ＡＶデータ受信装置４ｃにおいて、解読コードａ２を用いてＩＤコードα２を暗号化解除することでＩＤコードＡが得られ、図９（ｅ）のように、このＩＤコードＡを通信用ＩＤコードとして格納する。このとき、リモコン５に格納されたＩＤコードα２は削除される。よって、ＡＶデータ受信装置４ｃが、ＡＶデータ送信装置３から送信されるＩＤコードＡで暗号化されたＡＶデータ信号を暗号化解除することができる。即ち、ＡＶデータ送信装置３からのＡＶデータ信号がＡＶデータ受信装置４ａ〜４ｃにおいて受信可能となる。
【００７５】
このように動作することで、ＡＶデータ送信装置３とデータ通信が可能なＡＶデータ受信装置４がリモコン５と通信可能な装置に限定することができる。又、リモコン５と通信可能であってもＡＶデータ送信装置３からの解読コードを利用した暗号化解除が可能なＡＶデータ受信装置４のみが通信可能となる。
【００７６】
尚、本実施形態において、リモコン５に格納した暗号化ＩＤコードの消去を、切換完了信号を受信しなかったとき、ＡＶデータ受信装置４へ暗号化ＩＤコードを送信してから所定時間経過後に行うものとしたが、暗号化ＩＤコード送信直後に行うものとしても構わないし、暗号化ＩＤコードをＩＤ記憶部５８４に格納してから所定時間経過に行うものとしても構わない。
【００７７】
又、本実施形態において、解除コードの送信終了を、切換完了信号を受信しなかったとき、解除コードの送信を開始してから所定時間経過後に行うものとしたが、所定時間経過後に他のＩＤ要求信号を受信するなどの他の操作や動作を行ったときに解除コードの送信を終了するようにしても構わない。更に、本実施形態において、ＡＶデータ受信装置４が、暗号化ＩＤコードを受信した後に解読コードを受信するものとしたが、解読コードを受信したことを確認した後に暗号化ＩＤコードを受信可能とするようにしても構わない。
【００７８】
＜第２の実施形態＞
本発明の第２の実施形態について、図面を参照して以下に説明する。図１０は、本実施形態におけるＡＶデータ無線通信システムの構成を示すブロック図である。図１１及び図１２は、ＡＶデータ送信装置及びＡＶデータ受信装置の内部構成を示すブロック図である。尚、この図１１及び図１２において、図２及び図３と同一の部分については、同一の符号を付してその詳細な説明は省略する。又、ＩＤ管理用リモコンは、第１の実施形態と同様、図４のような構成である。
【００７９】
図１０のＡＶデータ無線通信システムは、図１のＡＶデータ無線通信システムと同様、ＡＶソース機器１と有線接続されたＡＶデータ送信装置３ｘと、ＡＶ再生装置２と有線接続されたＡＶデータ受信装置４ｘと、ＡＶデータ送信装置３ｘ及びＡＶデータ受信装置４ｘと赤外線通信を行うリモコン５とによって構成される。このようなＡＶデータ無線通信システムにおいて、ユーザがＡＶデータ受信装置４ｘと有線接続したＡＶ再生装置２でＡＶソース機器１によるＡＶデータの再生を求めると、まず、リモコン５とＡＶデータ受信装置４との間で赤外線通信を行う。
【００８０】
このとき、ＡＶデータ受信装置４ｘは、通信用ＩＤコードＡを暗号化した暗号化ＩＤコードαを生成するとともに、この暗号化ＩＤコードαの暗号化を解除するための解読コードａを生成して、暗号化ＩＤコードαを赤外線通信によりリモコン５に送信するとともに、解読コードａを無線送信する。暗号化ＩＤコードαはリモコン５に格納された後、暗号化ＩＤコードαを格納したリモコン５がＡＶデータ送信装置３ｘと赤外線通信を行い、ＡＶデータ送信装置３ｘがＩＤコードαを受信する。
【００８１】
このとき、ＡＶデータ送信装置３ｘは、ＡＶデータ受信装置４ｘより無線送信される解読コードａを受信し、この解読コードａを用いて暗号化ＩＤコードαの暗号化解除を行い、通信用ＩＤコードＡを確認する。よって、ＡＶデータ送信装置３ｘは通信用ＩＤコードＡによってＡＶデータ信号を暗号化して送信し、このＡＶデータ信号を通信用ＩＤコードＡを持つＡＶデータ送信装置３ｘが暗号化することができ、ＡＶデータ送信装置３ｘとＡＶデータ受信装置４ｘとの間におけるＡＶデータ通信が許可される。
【００８２】
このようなＡＶデータ無線通信システムにおいて、ＡＶデータ送信装置３ｘは、図１１のように、図２の構成からＩＤコード生成部５２５と誤り訂正符号付加部５０６ａとを削除し、受信した解読コードにより暗号化されたＩＤコードの暗号化解除をするとともにＩＤ記憶部５２０のＩＤコードの切換を行うＩＤ切換制御部５２８と、ＢＢ５０９からのデータを誤り訂正符号に基づいて解析した後にＩＤ切換制御部５２８に送出するデータ解析部５１３ａとを付加した構成となる。このとき、リモコンデータ変換部５２７からのデジタルデータがＩＤ切換制御部５２８に与えられるとともに、ＩＤ切換制御部５２８からのデジタルデータがリモコンデータ解析部５１６に与えられる。
【００８３】
又、ＡＶデータ受信装置４ｘは、図１２のような構成となる。即ち、図３の構成からデータ解析部５４５ａとＩＤ切換制御部５６６とを削除し、ＩＤ記憶部５６０に格納されたＩＤコードの暗号化及び解読コードの生成を行うコード生成部５６９と、コード生成部５２５で生成された解読コードに誤り訂正符号を付加する誤り訂正符号付加部５５６ａとを付加した構成となる。このとき、リモコンデータ変換部５５４からのデジタルデータがコード生成部５６９に与えられるとともに、コード生成部５６９からのデジタルデータがリモコンデータ解析部５６７に与えられる。
【００８４】
このように、ＡＶデータ送信装置３ｘが、第１の実施形態において図４０の構成からＡＶデータ受信装置４（図３）に付加されたブロックと同一のブロックが付加された構成となるとともに、ＡＶデータ受信装置４ｘが、第１の実施形態において図３９の構成からＡＶデータ送信装置３（図２）に付加されたブロックと同一のブロックが付加された構成となる。よって、上述の通信用ＩＤコードが設定されるとき、ＡＶデータ送信装置３ｘが第１の実施形態のＡＶデータ受信装置４と同様の動作を行い、ＡＶデータ受信装置４ｘが第１の実施形態のＡＶデータ送信装置３と同様の動作を行う。
【００８５】
即ち、ＡＶデータ送信装置３ｘが図５のタイミングチャートにおけるＳＴＥＰ１０〜ＳＴＥＰ１４及びＳＴＥＰ１７の動作を行うとともに、ＡＶデータ受信装置４ｙが図５のタイミングチャートにおけるＳＴＥＰ２〜ＳＴＥＰ５及びＳＴＥＰ８及びＳＴＥＰ１８及びＳＴＥＰ１９の動作を行う。ＡＶデータ無線通信システムにおけるＩＤコード設定時に、このように各装置が動作するとき、１台のＡＶデータ送信装置３ｘと複数台のＡＶデータ受信装置４ｘａ〜４ｘｃとによるシステムにおける動作例について、図１３の状態遷移図を参照して説明する。
【００８６】
今、図１３（ａ）のように、通信用ＩＤコードとしてＩＤ記憶部５６０にＩＤコードＡ〜Ｃを格納しているＡＶデータ受信装置４ｘａ〜４ｘｃとＡＶデータ送信装置３ｘとリモコン５とがあるものとする。又、このとき、ＡＶデータ送信装置３ｘは既に通信用ＩＤコードとしてＩＤ記憶部５２０にＩＤコードＡを格納し、ＡＶデータ送信装置３ｘにおいてＡＶデータ信号をＩＤコードＡで暗号化して送信する。よって、ＡＶデータ送信装置３ｘからのＡＶデータ信号をＡＶデータ受信装置４ｘａが受信可能な状態にある。
【００８７】
そして、リモコン５によってＩＤ要求信号がＡＶデータ受信装置４ｘｂに送信されると、ＡＶデータ受信装置４ｘｂの赤外線信号受信部５５３で受信して、リモコンデータ変換部５５４よりコード生成部５６９に与えられる。そして、コード生成部５６９でＩＤ記憶部５６０のＩＤコードＢが読み出されて暗号化された暗号化ＩＤコードであるＩＤコードβ及び解読コードｂが生成される。このとき、第１の実施形態と同様、ＡＶデータ受信装置４ｘｂが図６のフローチャートに従って動作する。そして、図１３（ｂ）のように、ＡＶデータ受信装置４ｘｂのリモコンデータ解析部５６７を介して赤外線信号送信部５６８よりリモコン５にＩＤコードβを送信する。よって、ＩＤコードβがリモコン５のＩＤ記憶部５８４に格納される。
【００８８】
このようにしてＩＤコードβを格納したリモコン５よりＩＤコードβがＡＶデータ送信装置３ｘに赤外線信号として送信される。そして、ＡＶデータ送信装置３ｘでは、この赤外線信号を赤外線信号受信部５２６で受信すると、リモコンデータ変換部５２７でデジタルデータに変換されて、ＩＤ切換制御部５２８にＩＤコードβが送出される。
【００８９】
又、コード生成部５６９で生成された解読コードｂは、誤り訂正符号化部５５６ａで誤り訂正符号が付加されてＢＢ５４３及びＲＦ５４２及びアンテナ５４１を介して送信される。そして、ＡＶデータ送信装置３ｘが解読コードｂを受信すると、アンテナ５１１及びＲＦ５１０及びＢＢ５０９を介してデータ解析部５１３ａで解読コードｂであることを確認しＩＤ切換制御部５２８に送出する。
【００９０】
ＡＶデータ送信装置３ｘにおいて、このように受信したＩＤコードβ及び解読コードｂがＩＤ切換制御部５２８に与えられると、ＩＤ切換制御部５２８で、ＩＤコードβが解読コードｂを用いて暗号化解除され、ＩＤコードＢが通信用ＩＤコードとして得られる。よって、図１３（ｃ）のように、ＡＶデータ送信装置３ｘがＩＤコードＢをＩＤコードＡと切り換えてＩＤ記憶部５２０に格納する。
【００９１】
そして、ＡＶデータ送信装置３ｘから送信されるＩＤコードＢで暗号化されたＡＶデータ信号がＡＶデータ受信装置４ｘｂで暗号化解除される。即ち、ＡＶデータ送信装置３ｘからのＡＶデータ信号がＡＶデータ受信装置４ｘａにおいて受信不可能となるとともに、ＡＶデータ受信装置４ｘｂにおいてのみ受信可能となる。又、このとき、リモコン５のＩＤ記憶部５８４に格納されたＩＤコードβは削除される。
【００９２】
その後、同様に、リモコン５よりＡＶデータ受信装置４ｘｃにＩＤ要求信号が送信されると、図１３（ｄ）のように、ＩＤコードＣが暗号化されたＩＤコードγがリモコン５を介してＡＶデータ送信装置３ｘに送信されるとともに、ＩＤコードγと同時に生成された解読コードｃが無線送信されて、ＡＶデータ送信装置３ｘによって受信される。
【００９３】
そして、ＡＶデータ送信装置３ｘにおいて、解読コードｃを用いてＩＤコードγを暗号化解除することでＩＤコードＣが得られ、図１３（ｅ）のように、このＩＤコードＣを通信用ＩＤコードとしてＩＤコードＢと切り換えて格納する。このとき、リモコン５に格納されたＩＤコードγは削除される。よって、ＡＶデータ送信装置３ｘからＩＤコードＣで暗号化されたＡＶデータ信号が送信され、ＡＶデータ受信装置４ｘｂで受信不可能となり、ＡＶデータ受信装置４ｘｃにおいてのみ受信可能となる。
【００９４】
このように動作することで、ＡＶデータ送信装置３ｘとデータ通信が可能なＡＶデータ受信装置４ｘが１対１となるように、リモコン５で指定することで限定することができる。尚、本実施形態において、ＡＶデータ受信装置４ｘが、図７のフローチャートのように動作し、リモコン５が図８のフローチャートのように動作するものとしても構わない。又、リモコン５に格納した暗号化ＩＤコードの消去を、暗号化ＩＤコード送信直後に行うものとしても構わないし、暗号化ＩＤコードを格納してから所定時間経過に行うものとしても構わない。
【００９５】
又、本実施形態において、解除コードの送信終了を、他の操作や動作を行ったときに解除コードの送信を終了するようにしても構わない。更に、本実施形態において、ＡＶデータ送信装置３ｘが、暗号化ＩＤコードを受信した後に解読コードを受信するものとしても構わないし、解読コードを受信したことを確認した後に暗号化ＩＤコードを受信可能とするようにしても構わない。
【００９６】
＜第３の実施形態＞
本発明の第３の実施形態について、図面を参照して以下に説明する。尚、本実施形態では、第１の実施形態と同様、図１の構成のＡＶデータ無線通信システム、図２の構成のＡＶデータ送信装置、図３の構成のＡＶデータ受信装置、及び図４の構成のＩＤ管理用リモコンが用いられるものとする。又、ＩＤコードの設定動作について、第１の実施形態と同様の動作を行う。
【００９７】
本実施形態のＡＶデータ無線通信システムでは、第１の実施形態と異なり、ＡＶデータ送信装置３が暗号化ＩＤを生成する際、図１４のフローチャートにしたがった動作を行うとともに、ＡＶデータ受信装置４が暗号化ＩＤを暗号化解除する際、図１５のフローチャートに従った動作を行う。よって、以下では、ＡＶデータ送信装置３が暗号化ＩＤを生成するときの動作と、ＡＶデータ受信装置４が暗号化ＩＤを暗号化解除するときの動作について説明する。
【００９８】
ＡＶデータ送信装置３及びＡＶデータ受信装置４はそれぞれ、コード生成部５２５及びＩＤ切換制御部５６６内に不図示のタイマを備えるとともに、同一の時間を示すように設定される。このコード生成部５２５及びＩＤ切換制御部５６６内における不図示のタイマの時間あわせは、暗号化していない通信をＡＶデータ送信装置３及びＡＶデータ受信装置４の間で所定時間毎に行うことで成される。
【００９９】
そして、このとき、リモコン５からのＩＤ要求信号を赤外線信号受信部５２６で受信すると、コード生成部５２５において暗号化ＩＤコード及び解読コードの生成を開始する。まず、乱数を発生し（ＳＴＥＰ４１）、この乱数に応じてＩＤ記憶部５２０より読み出した通信用ＩＤコードを暗号化して暗号化ＩＤコードを生成した後（ＳＴＥＰ４２）、この暗号化ＩＤコードを暗号化解除するための解読コードを設定する（ＳＴＥＰ４３）。
【０１００】
このようにして、暗号化ＩＤコード及び解読コードを生成すると、次に、不図示のタイマより現在時刻を時間情報として確認する（ＳＴＥＰ４４）。そして、この時間情報を用いて解読コードを暗号化する（ＳＴＥＰ４５）。その後、ＳＴＥＰ４２で生成された暗号化ＩＤコードが赤外線通信によりリモコン５に送信された後、リモコン５から同じく赤外線通信によりＡＶデータ受信装置４に送信され、ＩＤ切換制御部５６６に与えられる。又、ＳＴＥＰ４５において時間情報で暗号化された解読コードが無線通信により送信され、ＡＶデータ受信装置４によって受信されて、ＩＤ切換制御部５６６に与えられる。
【０１０１】
このようにして、ＡＶデータ受信装置４のＩＤ切換制御部５６６に暗号化ＩＤコード及び解読コードが与えられると、まず、ＩＤ切明制御部５６６では、不図示のタイマより現在時刻が確認され時刻情報とされる（ＳＴＥＰ５１）。そして、受信した解読コードのヘッダ情報よりＡＶデータ送信装置３からＡＶデータ受信装置４への送信時間分の時間差を修正した時間情報を生成する（ＳＴＥＰ５２）。この時間差修正した時間情報により解読コードの暗号化解除を行う（ＳＴＥＰ５３）。
【０１０２】
そして、解読コードの暗号化解除が正常にできたか否かが確認され（ＳＴＥＰ５４）、正常に解除されなかった場合（Ｎｏ）、ＳＴＥＰ５２で時間差修正した時間情報を−Δｔだけ修正して解読コードの暗号化解除を行う（ＳＴＥＰ５５）。尚、このΔｔは、時間情報の下位ビットを修正するものである。更に、解読コードの暗号化解除が正常にできたか否かが確認され（ＳＴＥＰ５６）、正常に解除されなかった場合（Ｎｏ）、ＳＴＥＰ５２で時間差修正した時間情報を＋Δｔだけ修正して解読コードの暗号化解除を行う（ＳＴＥＰ５７）。このときも、解読コードの暗号化解除が正常にできたか否かが確認される（ＳＴＥＰ５８）。
【０１０３】
そして、ＳＴＥＰ５４又はＳＴＥＰ５６又はＳＴＥＰ５８のいずれかにおいて、解読コードの暗号化解除が正常にできた場合（Ｙｅｓ）、この暗号化解除された解読コードを用いて暗号化ＩＤコードの暗号化解除が行われる（ＳＴＥＰ５９）。このとき、暗号化解除されて通信用ＩＤコードが得られると、この通信用ＩＤコードをＩＤ記憶部５６０に切り換えて格納する。又、ＳＴＥＰ５８で正常に暗号化解除が行われなかったとき（Ｎｏ）、動作を終了する。尚、このとき、暗号化解除できなかったことを示すエラー信号を生成し、無線通信及び赤外線通信を通じてＡＶデータ送信装置３及びリモコン５に送信して報知するようにしても構わない。
【０１０４】
このようにすることによって、解読コードが送信される時間毎に異なる値で暗号化されるため、毎回送信される解読コードを異なる値とすることができる。よって、ＩＤコードの複製などを防ぐことができる。又、本実施形態においては、第１の実施形態のように、ＡＶデータ送信装置よりＩＤコードがＡＶデータ受信装置に与えられる構成としたが、第２の実施形態のように、ＡＶデータ受信装置よりＩＤコードがＡＶデータ送信装置に与えられる構成としても構わない。このとき、ＡＶデータ受信装置において、図１４のフローチャートに従った動作が行われるとともに、ＡＶデータ送信装置において、図１５のフローチャートに従った動作が行われる。
【０１０５】
＜第４の実施形態＞
本発明の第４の実施形態について、図面を参照して以下に説明する。図１６は、ＩＤ管理用リモコンの内部構成を示すブロック図である。尚、本実施形態では、第１の実施形態と同様、図１の構成のＡＶデータ無線通信システム、図２の構成のＡＶデータ送信装置、及び図３の構成のＡＶデータ受信装置が用いられるものとする。又、図１６のリモコンの構成において、図４のリモコンの構成と同一の目的で使用する部分については、同一の符号を付してその詳細な説明は省略する。
【０１０６】
本実施形態において、リモコン５ａは、図１６のように、図４の構成に、認証コードを格納する認証コード記憶部５８６を備えるとともに、制御部５８３によって認証コード記憶部５８６内の認証コードが確認される。このように構成して、リモコン５ａに認証コードを備えることにより、リモコン５ａから認証コードが赤外線通信により送信され、ＡＶデータ送信装置３及びＡＶデータ受信装置４で受信されたとき、ＡＶデータ送信装置３及びＡＶデータ受信装置４において、この認証コードによるリモコン５ａの認証が行われる。
【０１０７】
このようなリモコン５ａを備えたＡＶデータ無線通信システムにおけるＩＤコードの設定動作について、以下に説明する。このとき、まず、ＡＶデータ送信装置３が図７及び図１７のフローチャートに従って動作し、リモコン５ａが図１８のフローチャートに従って動作することにより、ＡＶデータ送信装置３で暗号化ＩＤコード及び解読コードが生成されて、暗号化ＩＤコードがリモコン５ａに送信されるとともに、解読コードが無線通信で送信される。
【０１０８】
リモコン５ａは、赤外線通信によってＩＤ要求信号を送信すると（ＳＴＥＰ１）、制御部５８３内の不図示のタイマで制限時間を設定し（ＳＴＥＰ８１）、制限時間が経過したか否かを確認する（ＳＴＥＰ８２）。このとき、制限時間が経過していない場合（Ｎｏ）、ＡＶデータ送信装置３から赤外線通信によって送信される信号を受信したか否かが確認される（ＳＴＥＰ８３）。
【０１０９】
そして、ＡＶデータ送信装置３からの信号を受信したとき（Ｙｅｓ）、この信号が認証コード要求信号であるか確認する（ＳＴＥＰ８４）。このとき認証コード要求信号を赤外線信号受信部５８１で受信したことを制御部５８３で確認すると（Ｙｅｓ）、制御部５８３によって認証コード記憶部５８６より認証コードを読み出して、赤外線信号送信部５８２より認証コードを送信する（ＳＴＥＰ８５）。又、ＳＴＥＰ８３で信号が受信されていないときは（Ｎｏ）、ＳＴＥＰ８２に移行し、又、ＳＴＥＰ８４でエラー信号が受信されたとき（Ｎｏ）、又は、ＳＴＥＰ８２で制限時間が経過したときは（Ｙｅｓ）、エラー処理動作を行う（ＳＴＥＰ８７）。
【０１１０】
ＳＴＥＰ８５で認証コードを赤外線通信で送信すると、ＡＶデータ送信装置３から暗号化ＩＤコードを受信したか否かが確認される（ＳＴＥＰ８６）。このとき、暗号化ＩＤコードを赤外線信号受信部５８１で受信したことを確認すると（Ｙｅｓ）、受信した暗号化ＩＤコードをＩＤ記憶部５８３に格納する（ＳＴＥＰ７）。又、ＳＴＥＰ８２で制限時間が経過したとき（Ｙｅｓ）、又は、ＳＴＥＰ８６でエラー信号が受信されたとき（Ｎｏ）、エラー処理動作が行われる（ＳＴＥＰ８７）。尚、ＳＴＥＰ８７のエラー処理動作としては、通信が失敗したことを示す表示又は音声出力などの報知動作などが行われる。
【０１１１】
このようにリモコン５ａが動作するとき、ＡＶデータ送信装置３がＩＤ要求信号を受信すると（ＳＴＥＰ２）、リモコン５ａに対して認証コードの送信要求を行うための認証コード要求信号をコード生成部５２５で生成して、リモコンデータ解析部５１６及び赤外線信号送信部５１７を介して送信する（ＳＴＥＰ７１）。そして、コード生成部５２５内の不図示のタイマで制限時間を設定し（ＳＴＥＰ７２）、制限時間が経過したか否かを確認する（ＳＴＥＰ７３）。このとき、制限時間が経過していない場合（Ｎｏ）、リモコン５ａから赤外線通信によって送信される認証コードを受信したか否かが確認される（ＳＴＥＰ７４）。
【０１１２】
そして、認証コードが赤外線信号受信部５２６で受信されて、リモコンデータ変換部５２７を介してコード生成部５２５に送出されると（Ｙｅｓ）、コード生成部５２５では受信した認証コードを用いて認証動作を行う（ＳＴＥＰ７５）。そして、リモコン５ａが認証されたか否かが確認され（ＳＴＥＰ７６）、リモコン５ａが認証されると（Ｙｅｓ）、図７のフローチャートのＳＴＥＰ３に移行し、ＳＴＥＰ３以降の動作を行う（ＳＴＥＰ７７）。
【０１１３】
即ち、ＳＴＥＰ７７では、ＳＴＥＰ３〜ＳＴＥＰ５、ＳＴＧＰ８、ＳＴＥＰ３０〜ＳＴＥＰ３２、及びＳＴＥＰ１９の動作を行って、暗号化ＩＤコード及び解読コードを生成して、暗号化ＩＤコードを赤外線通信により送信し、解読コードを無線通信により送信する。又、ＳＴＥＰ７３で制限時間が経過したとき（Ｙｅｓ）、又はＳＴＥＰ７６でリモコン５ａが認証されなかったとき（Ｎｏ）、エラー信号を送信する（ＳＴＥＰ７８）。
【０１１４】
次に、リモコン５ａが図８及び図１９のフローチャートに従って動作し、ＡＶデータ受信装置４が図２０のフローチャートに従って動作することにより、リモコン５ａから暗号化ＩＤコードが送信されてＡＶデータ受信装置４で受信されるとともに、ＡＶデータ送信装置３より送信される解読コードがＡＶデータ受信装置４で受信される。
【０１１５】
リモコン５ａは、ＡＶデータ受信装置４と赤外線通信可能な位置に配置されて操作部５８５が操作されると、認証コード記憶部５８６内の認証コードを制御部５８３によって読み出して赤外線信号送信部５８２より送信する（ＳＴＥＰ９１）。そして、制御部５８３内の不図示のタイマで制限時間を設定し（ＳＴＥＰ９２）、制限時間が経過したか否かを確認する（ＳＴＥＰ９３）。このとき、制限時間が経過していない場合（Ｎｏ）、ＡＶデータ受信装置４から認証結果を受信したか否かが確認される（ＳＴＥＰ９４）。
【０１１６】
そして、ＡＶデータ受信装置４からの認証結果を受信したとき（Ｙｅｓ）、この認証結果より制御部５８３においてＡＶデータ受信装置４で認証されたか否かを確認する（ＳＴＥＰ９５）。このとき、ＡＶデータ受信装置４で認証されたことを確認すると（Ｙｅｓ）、図８のフローチャートのＳＴＥＰ９に移行し、ＳＴＥＰ９以降の動作を行う（ＳＴＥＰ９６）。
【０１１７】
即ち、ＳＴＥＰ９６では、ＳＴＥＰ９、ＳＴＥＰ３５〜ＳＴＥＰ３７、及びＳＴＥＰ１６の動作を行って、暗号化ＩＤコードを送信した後、ＡＶデータ受信装置４からの切換完了信号を確認すると、又は、制限時間が経過すると、ＩＤ記憶部５８４に格納した暗号化ＩＤコードを消去する。又、ＳＴＥＰ９３で制限時間が経過したとき（Ｙｅｓ）、又は、ＳＴＥＰ９５でエラー信号が受信されたとき（Ｎｏ）、エラー処理動作が行われる（ＳＴＥＰ９７）。尚、ＳＴＥＰ９７のエラー処理動作としては、ＳＴＥＰ８７と同様、通信が失敗したことを示す表示又は音声出力などの報知動作などが行われる。
【０１１８】
このようにリモコン５ａが動作するとき、ＡＶデータ受信装置４がリモコン５ａからの認証コードを赤外線信号受信部５５３で受信すると（ＳＴＥＰ１０１）、リモコンデータ変換部５５４を介してＩＤ切換制御部５６６に送出して、この認証コードによりリモコン５ａの認証を行う（ＳＴＥＰ１０２）。そして、リモコン５ａが認証されたか否かが確認され（ＳＴＥＰ１０３）、リモコン５ａが認証されると（Ｙｅｓ）、認証したことを示すＯＫ信号をＩＤ切換制御部５５６で生成し、リモコンデータ解析部５６７及び赤外線信号送信部５６７より赤外線信号として送信する（ＳＴＥＰ１０４）。
【０１１９】
その後、図５のタイムチャートと同様、リモコン５ａから暗号化ＩＤコードを受信した後、ＡＶデータ送信装置３から解読コードを受信し、ＩＤ切換制御部５６６で暗号化ＩＤコードを暗号化解除し、通信用ＩＤコードを得る（ＳＴＥＰ１０〜ＳＴＥＰ１２）。そして、暗号化解除して得られた通信用ＩＤコードをＩＤ記憶部５６０に格納した後、切換完了信号を赤外線通信及び無線通信の両方によって送信する（ＳＴＥＰ１３、ＳＴＥＰ１４、ＳＴＥＰ１７）。又、ＳＴＥＰ１０３でリモコン５ａが認証されなかったとき（Ｎｏ）、エラー信号を送信する（ＳＴＥＰ１０５）。
【０１２０】
よって、図２１のタイムチャートのように、リモコン５ａよりＩＤ要求信号が送信されると（ＳＴＥＰ１）、ＡＶデータ送信装置３がＩＤ要求信号を受信し（ＳＴＥＰ２）、認証コード要求信号を送信する（ＳＴＥＰ１１０）。リモコン５ａは、この認証コード要求信号の受信後（ＳＴＥＰ１１１）、認証コードを送信する（ＳＴＥＰ１１２）。そして、ＡＶデータ送信装置３が認証コードを受信し（ＳＴＥＰ１１３）、リモコン５ａを認証すると（ＳＴＥＰ１１４）、通信用ＩＤコードを確認して暗号化ＩＤコード及び解読コードを生成し、暗号化ＩＤコード及び解読コードを送信する（ＳＴＥＰ３〜ＳＴＥＰ５、ＳＴＥＰ８）。
【０１２１】
又、リモコン５ａでは、暗号化ＩＤを受信すると、ＩＤ記憶部５８４に格納する（ＳＴＥＰ６、ＳＴＥＰ７）。その後、リモコン５ａよりＡＶデータ受信装置４に認証コードを送信すると（ＳＴＥＰ１１５）、ＡＶデータ受信装置４が認証コードを受信する（ＳＴＥＰ１１６）。このとき、リモコン５ａを認証すると（ＳＴＥＰ１１７）、ＯＫ信号を送信する（ＳＴＥＰ１１８）。リモコン５ａは、このＯＫ信号を受信した後（ＳＴＥＰ１１９）、暗号化ＩＤコードを送信する（ＳＴＥＰ９）。
【０１２２】
又、ＡＶデータ受信装置４では、リモコン５ａからの暗号化ＩＤコード及びＡＶデータ送信装置３からの解読コードを受信した後、暗号化解除を行って通信用ＩＤコードを得ると、ＩＤ記憶部５６０に格納し、切換完了信号を赤外線通信及び無線通信の両方で送信する（ＳＴＥＰ１１〜ＳＴＥＰ１４、ＳＴＥＰ１７）。よって、リモコン５ａは、切換完了信号を受信後、暗号化ＩＤコードを削除する（ＳＴＥＰ１５、ＳＴＥＰ１６）。又、ＡＶデータ送信装置３は、切換完了信号を受信後、解読コードの送信を終了する（ＳＴＥＰ１８、ＳＴＥＰ１９）。
【０１２３】
このようにすることで、ＡＶデータ送信装置３が、リモコン５ａが通信許可されたリモコンであるか否かを認証した後にＩＤコードを送信するため、リモコンなどを利用して、不正にＩＤコードが複製されることを防ぐことができる。又、リモコン５ａの認証コードにより認証不可能なＡＶデータ受信装置に対してはＩＤコードが送信されることがないので、ＡＶデータ送信装置３が通信許可していないＡＶデータ受信装置に対してＡＶデータを送信することを防ぐことができる。
【０１２４】
尚、本実施形態において、リモコン５ａがＩＤ要求信号を送信する際に、認証コードも共に送信するようにしても構わない。又、暗号化ＩＤコードの生成及び暗号化解除についても、第１の実施形態における動作に限らず、例えば、第３の実施形態で説明した動作によるものとしても構わない。
【０１２５】
更に、本実施形態においては、第１の実施形態のように、ＡＶデータ送信装置よりＩＤコードがＡＶデータ受信装置に与えられる構成としたが、第２の実施形態のように、ＡＶデータ受信装置よりＩＤコードがＡＶデータ送信装置に与えられる構成としても構わない。このとき、ＡＶデータ受信装置において、図７及び図１７のフローチャートに従った動作が行われるとともに、ＡＶデータ送信装置において、図２０のフローチャートに従った動作が行われる。又、このＡＶデータ送信装置及びＡＶデータ受信装置はそれぞれ、第２の実施形態と同様、図１１及び図１２のような構成となる。
【０１２６】
＜第５の実施形態＞
本発明の第５の実施形態について、図面を参照して以下に説明する。図２２は、ＡＶデータ送信装置の内部構成を示すブロック図である。図２３は、ＡＶデータ送信装置の内部構成を示すブロック図である。尚、本実施形態では、第４の実施形態と同様、図１の構成のＡＶデータ無線通信システム、図１６のＩＤ管理用リモコンが用いられるものとする。又、図２２のＡＶデータ送信装置及び図２３のＡＶデータ受信装置それぞれの構成において、図２及び図３の構成と同一の目的で使用する部分については、同一の符号を付してその詳細な説明は省略する。
【０１２７】
本実施形態において、ＡＶデータ送信装置３ｙは、図２２のように、図２の構成に、認証コードを格納する認証コード記憶部５２９と、ＢＢ５０９からのデータに対して誤り訂正符号よりデータ解析を行ってコード生成部５２５に送出すデータ解析部５１３ａとを備えるとともに、コード生成部５２５によって認証コード記憶部５２９内の認証コードが確認される。又、ＡＶデータ受信装置４ｙは、図２３のように、図３の構成に、認証コードを格納する認証コード記憶部５７０と、ＩＤ切換制御部５６６からのデータに誤り訂正符号を付加してＢＢ５４３に送出する誤り訂正符号付加部５５６ａとを備えるとともに、ＩＤ切換制御部５６６によって認証コード記憶部５７０内の認証コードが確認される。更に、図１６のリモコン５ａは、制御部５８３によって認証コード記憶部５８６の内容が書き換えられる。
【０１２８】
このように構成することにより、ＡＶデータ送信装置３ｙからの認証コードが赤外線通信によりリモコン５ａに与えられて一時的に格納される。そして、ＡＶデータ受信装置４ｙとリモコン５ａとが赤外線通信を行うとき、ＡＶデータ受信装置４ｙからの認証コードがリモコン５ａに送信される。そして、リモコン５ａにおいて、ＡＶデータ受信装置４ｙの認証コードが一時的に格納されるＡＶデータ送信装置３ｙの認証コードと比較され、ＡＶデータ送信装置３ｙ及びＡＶデータ受信装置４ｙの認証が行われる。
【０１２９】
このようなＡＶデータ無線通信システムにおけるＩＤコードの設定動作について、以下に説明する。このとき、ＡＶデータ送信装置３ｙが図２４のフローチャートに従って動作し、リモコン５ａが図２５及び図２６のフローチャートに従って動作し、ＡＶデータ受信装置４ｙが図２７のフローチャートに従って動作する。
【０１３０】
リモコン５ａは、赤外線通信によってＩＤ要求信号が送信すると（ＳＴＥＰ１）、制御部５８３内の不図示のタイマで制限時間を設定し（ＳＴＥＰ８１）、制限時間を設定し、制限時間の経過を確認する（ＳＴＥＰ８２）。このとき、制限時間が経過していない場合（Ｎｏ）、ＡＶデータ送信装置３ｙから赤外線通信によって送信される暗号化ＩＤコード及び認証コードを受信したか否かが確認される（ＳＴＥＰ１５２）。そして、ＡＶデータ送信装置３ｙから暗号化ＩＤコード及び認証コードを受信したとき（Ｙｅｓ）、制御部５８３によって暗号化ＩＤコードをＩＤ記憶部５８４に格納するとともに認証コードを認証コード記憶部５８６に格納する（ＳＴＥＰ７ａ）。
【０１３１】
又、ＳＴＥＰ１５２で認証コード及び暗号化ＩＤコードが受信されていないときは（Ｎｏ）、ＳＴＥＰ８２に移行し、又、ＳＴＥＰ８２で制限時間の経過が確認されたときは（Ｙｅｓ）、エラー処理動作を行う（ＳＴＥＰ８７）。尚、ＳＴＥＰ８７のエラー処理動作としては、通信が失敗したことを示す表示又は音声出力などの報知動作などが行われる。
【０１３２】
このようにリモコン５ａが動作するとき、ＡＶデータ送信装置３ｙがＩＤ要求信号を受信すると、通信用ＩＤコードが確認されて暗号化ＩＤコード及び解読コードが生成される（ＳＴＥＰ２〜ＳＴＥＰ４）。そして、認証コード記憶部５２９に格納された認証コードがコード生成部５２５によって読み出されて、この認証コードが暗号化ＩＤコードと共に、リモコンデータ解析部５１６及び赤外線信号送信部５１７を介して赤外線信号として送信される（ＳＴＥＰ５ａ）。
【０１３３】
又、ＡＶデータ送信装置３ｙからの認証コード及び暗号化ＩＤコードを格納したリモコン５ａは、ＡＶデータ受信装置４ｙと赤外線通信可能な位置に配置されて操作部５８５が操作されると、ＡＶデータ受信装置４ｙに対して認証コードの送信を要求するための認証コード要求信号を制御部５８３で生成し、赤外線信号送信部５８２より送信する（ＳＴＥＰ１５３）。そして、タイマ設定を行い（ＳＴＥＰ１５４）、制限時間が経過したか否かを確認する（ＳＴＥＰ１５５）。
【０１３４】
このとき、制限時間の経過が確認されなかったとき（Ｎｏ）、ＡＶデータ受信装置４ｙから認証コードを受信したか否かが確認され（ＳＴＥＰ１５６）、赤外線信号受信部５８１での認証コードの受信が確認されると（Ｙｅｓ）、制御部５８３によって認証コード格納部５８６に格納されたＡＶデータ送信装置３ｙの認証コードが読み出されて比較される（ＳＴＥＰ１５７）。このように、ＡＶデータ送信装置３ｙ及びＡＶデータ受信装置４ｙそれぞれの認証コードを比較することで認証動作を行う。そして、認証結果が確認され（ＳＴＥＰ１５８）、ＡＶデータ受信装置４ｙが認証されると（Ｙｅｓ）、ＩＤ記憶部５８４に格納された暗号化ＩＤコードがＡＶデータ受信装置４ｙに送信される（ＳＴＥＰ９）。
【０１３５】
その後、タイマ設定し、制限時間の経過が確認されるまで、切換完了信号の受信が確認される（ＳＴＥＰ３５〜ＳＴＥＰ３７）。そして、切換完了信号の受信又は制限時間の経過が確認されるとＩＤ記憶部５６４及び認証コード記憶部５６６に格納された暗号化ＩＤコード及び認証コードを削除する（ＳＴＥＰ１６ａ）。又、ＳＴＥＰ１５５で制限時間が経過したとき（Ｙｅｓ）、又は、ＳＴＥＰ１５８で認証されなかったとき（Ｎｏ）、エラー信号を送信する（ＳＴＥＰ１５９）。
【０１３６】
このとき、ＡＶデータ受信装置４ｙが認証コード要求信号を赤外線信号受信部５５３で受信し、この認証コード要求信号がリモコンデータ変換部５５４を介してＩＤ切換制御部５６６に与えられると（ＳＴＥＰ１６０）、認証コードが認証コード記憶部５７０より読み出されて、リモコンデータ解析部５６７及び赤外線信号送信部５６８から赤外線信号として送信される（ＳＴＥＰ１６１）。そして、ＩＤ切換制御部５６６において、タイマ設定を行い（ＳＴＥＰ１６２）、制限時間が経過したか否かが確認される（ＳＴＥＰ１６３）
【０１３７】
このとき、制限時間が経過していない場合（Ｎｏ）、リモコン５ａからの赤外線信号を受信したか否かが確認され（ＳＴＥＰ１６４）、リモコン５ａから赤外線信号を受信したとき（Ｙｅｓ）、受信した信号が暗号化ＩＤコードであるか否かがＩＤ切換制御部５６６で確認される（ＳＴＥＰ１６５）。そして、暗号化ＩＤコードが確認されたとき（Ｙｅｓ）、ＡＶデータ送信装置３ｙに対して解読コードの送信を要求するための解読コード要求信号をＩＤ切換制御部５６６で生成し、誤り符号化付加部５５６ａで誤り訂正符号を付加した後、ＢＢ５４３及びＲＦ５４２及びアンテナ５４１を介して送信する（ＳＴＥＰ１６６）。
【０１３８】
その後、再び、タイマ設定して（ＳＴＥＰ１６７）、制限時間が経過したか否かが確認される（ＳＴＥＰ１６８）。このとき、制限時間が経過していない場合（Ｎｏ）、ＡＶデータ送信装置３ｙより解読コードを受信したか否かが確認される（ＳＴＥＰ１６９）。そして、アンテナ５４１及びＲＦ５４２及びＢＢ５４３で解読コードが受信され、データ解析部５４５ａを介してＩＤ切換制御部５６６に送出されると（Ｙｅｓ）、ＩＤ切換制御部５６６において、暗号化コードが解読コードで暗号化解除され、得られた通信用ＩＤコードがＩＤ記憶部５６０に格納される（ＳＴＥＰ１２、ＳＴＥＰ１３）。
【０１３９】
その後、切換完了信号が赤外線通信及び無線通信の両方で送信される（ＳＴＥＰ１４、ＳＴＥＰ１７）。又、ＳＴＥＰ１６３又はＳＴＥＰ１６８で制限時間が経過したとき（Ｙｅｓ）、又は、ＳＴＥＰ１６４でリモコン５ａからエラー信号を受信したとき（Ｎｏ）、エラー処理を行う（ＳＴＥＰ１７０）。このエラー処理が行われるとき、異常を示すための表示や音声出力などの報知動作が行われる。
【０１４０】
又、ＡＶデータ送信装置３ｙでは、ＳＴＥＰ５ａで暗号化ＩＤコード５ａ及び認証コードを送信した後、タイマ設定し、制限時間の経過が確認される（ＳＴＥＰ３０、ＳＴＥＰ３１）。このとき、制限時間が経過していない場合（Ｎｏ）、ＡＶデータ送信装置３ｙからの解読コード要求信号を受信したか否かが確認される（ＳＴＥＰ１５０）。
【０１４１】
そして、この解読コード要求信号をアンテナ５１１及びＲＦ５１０及びＢＢ５０９で受信し、データ解析部５１３ａを介してコード生成部５２５に送出すると（Ｙｅｓ）、解読データが誤り訂正符号付加部５０６ａ及びＢＢ５０９及びＲＦ５１０及びアンテナ５１１を介して送信される（ＳＴＥＰ１５１）。又、ＳＴＥＰ３１で制限時間が経過したとき（Ｙｅｓ）、動作を終了し、又、ＳＴＥＰ１５０で解読コード要求信号が受信されなかったとき、ＳＴＥＰ３１に移行し、制限時間の経過が確認される。
【０１４２】
よって、図２８のタイムチャートのように、リモコン５ａよりＩＤ要求信号が送信されると（ＳＴＥＰ１）、ＡＶデータ送信装置３ｙがＩＤ要求信号を受信し、通信用ＩＤコードを確認して暗号化ＩＤコード及び解読コードを生成する（ＳＴＥＰ２〜４）。そして、認証コード記憶部５２９より読み出された認証コードが暗号化コードと共に送信される（ＳＴＥＰ５ａ）。
【０１４３】
リモコン５ａは、ＡＶデータ送信装置３ｙからの認証コード及び暗号化ＩＤコードを受信すると（ＳＴＥＰ６ａ）、暗号化ＩＤコードをＩＤ記憶部５８４に、認証コードを認証コード記憶部５８６にそれぞれ格納する（ＳＴＥＰ７ａ）。その後、ＡＶデータ受信装置４ｙに対して、認証コード要求信号を送信する（ＳＴＥＰ２０１）。ＡＶデータ受信装置４ｙは、認証コード要求信号を受信すると（ＳＴＥＰ２０２）、認証コード記憶部５７０に格納している認証コードを読み出して送信する（ＳＴＥＰ２０３）。
【０１４４】
このＡＶデータ受信装置４ｙからの認証コードをリモコン５ａが受信すると（ＳＴＥＰ２０４）、認証コード記憶部５８６に格納しているＡＶデータ送信装置３ｙからの認証コードとＡＶデータ受信装置４ｙからの認証コードとを制御部５８３で比較し、認証する（ＳＴＥＰ２０５）。そして、ＡＶデータ受信装置４ｙを認証して、暗号化ＩＤコードがＩＤ記憶部５８４より読み出されて送信されると、ＡＶデータ受信装置４ｙによって受信される（ＳＴＥＰ１０、ＳＴＥｐ１１）。
【０１４５】
ＡＶデータ受信装置４ｙで暗号化ＩＤコードの受信が確認されると、解読コード要求信号を生成し無線通信によりＡＶデータ送信装置３ｙに送信する（ＳＴＥＰ２０６）。ＡＶデータ送信装置３ｙが解読コード要求信号を受信すると（ＳＴＥＰ２０７）、コード生成部５２５で生成した解読コードを無線通信により送信する（ＳＴＥＰ２０８）。
【０１４６】
その後、ＡＶデータ受信装置４ｙは、ＡＶデータ送信装置３ｙからの解読コードを受信した後、暗号化解除を行って通信用ＩＤコードを得ると、ＩＤ記憶部５６０に格納し、切換完了信号を赤外線通信及び無線通信の両方で送信する（ＳＴＥＰ１１〜ＳＴＥＰ１４、ＳＴＥＰ１７）。よって、リモコン５ａは、切換完了信号を受信後、暗号化ＩＤコードを削除し（ＳＴＥＰ１５、ＳＴＥＰ１６）、又、ＡＶデータ送信装置３は、切換完了信号を受信して切換完了を確認する（ＳＴＥＰ１８）。
【０１４７】
このようにすることで、リモコン５ａが、ＡＶデータ受信装置４ｙがＡＶデータ送信装置３ｙが通信許可した装置であるか否かを認証することができ、リモコン５ａで認証されなかったＡＶデータ受信装置４ｙに対して、ＡＶデータ送信装置３ｙからのＡＶデータの受信を制限することができる。
【０１４８】
尚、第４の実施形態と同様、ＡＶデータ送信装置がリモコンを認証した後に、暗号化ＩＤコード及び認証コードの送信を行うようにしても構わない。又、暗号化ＩＤコードの生成及び暗号化解除についても、第１の実施形態における動作に限らず、例えば、第３の実施形態で説明した動作によるものとしても構わない。
【０１４９】
更に、本実施形態においては、第１の実施形態のように、ＡＶデータ送信装置よりＩＤコードがＡＶデータ受信装置に与えられる構成としたが、第２の実施形態のように、ＡＶデータ受信装置よりＩＤコードがＡＶデータ送信装置に与えられる構成としても構わない。このとき、ＡＶデータ受信装置において、図２４のフローチャートに従った動作が行われるとともに、ＡＶデータ送信装置において、図２７のフローチャートに従った動作が行われる。又、このときのＡＶデータ送信装置及びＡＶデータ受信装置はそれぞれ、本実施形態と同様、図２２及び図２３のような構成となる。
【０１５０】
＜第６の実施形態＞
本発明の第６の実施形態について、図面を参照して以下に説明する。図２９は、ＡＶデータ受信装置の内部構成を示すブロック図である。尚、本実施形態では、第５の実施形態と同様、図１の構成のＡＶデータ無線通信システム、図２２のＡＶデータ送信装置、及び図１６のＩＤ管理用リモコンが用いられるものとする。又、図２９のＡＶデータ受信装置の構成において、図２３の構成と同一の目的で使用する部分については、同一の符号を付してその詳細な説明は省略する。
【０１５１】
本実施形態において、ＡＶデータ受信装置４ｚは、図２９のように、図２３の構成から、認証コード記憶部５２９を省いた構成とされる。このような構成のＡＶデータ受信装置４ｚを備えたＡＶデータ通信システムにおいて、ＩＤコードの設定動作を行うとき、ＡＶデータ送信装置３ｙが図３０のフローチャートに従って動作する。又、リモコン５ａは、ＡＶデータ送信装置３ｙと赤外線通信を行う際、図２５のフローチャートに従って動作する。
【０１５２】
又、ＡＶデータ受信装置４ｚは、図３１のフローチャートに従って動作するとともに、このＡＶデータ受信装置４ｚと赤外線通信を行うとき、リモコン５ａが図３２のフローチャートに従って動作する。この各フローチャートに従って動作するＡＶデータ送信装置３ｙ及びＡＶデータ受信装置４ｚ及びリモコン５ａの動作について、以下に説明する。尚、図２５のフローチャートの動作については、第４の実施形態と同様であるため、説明を省略する。又、図３０及び図３１及び図３２のフローチャートにおいても、図２４及び図２７及び図２６のフローチャートと同一部分については同一の符号を付し、その説明を省略する。
【０１５３】
リモコン５ａよりＩＤ要求信号が送信され、ＡＶデータ送信装置３ｙで受信されると、暗号化ＩＤコード及び解読コードが生成され、認証コードとともに暗号化ＩＤコードが送信される（ＳＴＥＰ１〜ＳＴＥＰ４、ＳＴＥＰ５ａ）。又、リモコン５ａで暗号化ＩＤコード及び認証コードが受信されると、暗号化ＩＤコード及び認証コードが格納され、又、制限時間までに受信されなかったとき、エラー処理が行われる（ＳＴＥＰ８１、ＳＴＥＰ８２、ＳＴＥＰ１５２、ＳＴＥＰ７ａ、ＳＴＥＰ８７）。
【０１５４】
そして、ＡＶデータ送信装置３ｙは、タイマ設定し、制限時間が経過したか否かの確認を行う（ＳＴＥＰ３０、ＳＴＥＰ３１）。又、暗号化ＩＤコード及び認証コードを格納したリモコン５ａがＡＶデータ受信装置４ｚと赤外線通信可能な位置に配置されて操作部５８５が操作されることによって、ＩＤ記憶部５８４内の暗号化ＩＤコードと認証コード記憶部５８６内の認証コードが制御部５８３によって読み出されて、赤外線信号送信部５８２より送信される（ＳＴＥＰ９ａ）。
【０１５５】
リモコン５ａは、暗号化コード及び認証コードを赤外線通信で送信すると、タイマ設定し、制限時間となるまで、ＡＶデータ受信装置４ｚから赤外線通信により送信される切換完了信号の受信を確認し、切換完了信号を受信したとき、又は、制限時間が経過したとき、暗号化コード及び認証コードを削除する（ＳＴＥＰ３５〜ＳＴＥＰ３７、ＳＴＥＰ１６ａ）。
【０１５６】
又、ＡＶデータ受信装置４ｚは、暗号化コード及び認証コードを赤外線信号受信部５５３で受信し、リモコンデータ変換部５５４からＩＤ切換制御部５６６に送出すると（ＳＴＥＰ１０ａ）、受信した認証コードを誤り訂正符号付加部５５６ａに送出して誤り訂正符号を付加して、ＢＢ５４３及びＲＦ５４２及びアンテナ５４１を介して送信する（ＳＴＥＰ２２３）。
【０１５７】
そして、タイマ設定して、制限時間になるまで、ＡＶデータ送信装置３ｙから送信される解読コードの受信を確認する（ＳＴＥＰ１６７〜ＳＴＥＰ１６９）。このとき、解読コードを受信すると、暗号化解除を行って得られた通信用ＩＤコードを格納し、切換完了信号を赤外線通信及び無線通信の両方によって送信する（ＳＴＥＰ１２〜ＳＴＥＰ１４、ＳＴＥＰ１７）。又、制限時間まで解読コードが受信されなかったときは、エラー処理を行う（ＳＴＥＰ１７０）。
【０１５８】
又、ＳＴＥＰ３１で制限時間が経過していないことを確認したＡＶデータ送信装置３ｙは、ＡＶデータ受信装置４ｚより送信される認証コードの受信を確認する（ＳＴＥＰ２２０）。そして、認証コードをアンテナ５１１及びＲＦ５１０及びＢＢ５１０で受信して、データ解析部５１３ａを介してコード生成部５２５に送出すると（Ｙｅｓ）、この認証コードを認証コード記憶部５２９に格納した認証コードと比較してＡＶデータ受信装置４ｚの認証を行う（ＳＴＥＰ２２１）。
【０１５９】
この認証結果が確認され（ＳＴＥＰ２２２）、ＡＶデータ受信装置４ｚが認証されると（Ｙｅｓ）、ＡＶデータ受信装置４ｚに対して、無線通信によって解読コードを送信する（ＳＴＥＰ１５１）。又、ＳＴＥＰ２２０で認証コードの受信が確認されなかったとき、ＳＴＥＰ３１に移行し制限時間の経過が確認される。又、ＳＴＥＰ２２２でＡＶデータ受信装置４ｚが認証されなかったとき、動作を終了する。
【０１６０】
このように、本実施形態では、認証コードをＩＤコードの送信側となるＡＶデータ送信装置にのみ格納するようにして、この認証コードをリモコンを通じてＩＤコードの受信側となるＡＶデータ受信装置に送信し、ＡＶデータ受信装置より認証コードを送信させてＡＶデータ受信装置の認証を行うようにした。よって、ＡＶデータ送信装置で確実にＡＶデータ受信装置の認証を行うことができる。
【０１６１】
尚、本実施形態では、ＩＤコードの送信側をＡＶデータ送信装置とし、ＩＤコードの受信側をＡＶデータ受信装置としたが、第２の実施形態と同様、ＩＤコードの送信側をＡＶデータ受信装置とし、ＩＤコードの受信側をＡＶデータ送信装置としても構わない。このとき、ＡＶデータ受信装置において、図３０のフローチャートに従った動作が行われるとともに、ＡＶデータ送信装置において、図３２のフローチャートに従った動作が行われる。又、このときのＡＶデータ送信装置は図２２から認証コード記憶部５２９を省いた図３３のような構成となり、又、ＡＶデータ受信装置は図２３のような構成となる。
【０１６２】
又、第４の実施形態と同様、ＡＶデータ送信装置がリモコンを認証した後に、暗号化ＩＤコード及び認証コードの送信を行うようにしても構わない。又、暗号化ＩＤコードの生成及び暗号化解除についても、第１の実施形態における動作に限らず、例えば、第３の実施形態で説明した動作によるものとしても構わない。
【０１６３】
上述の各実施形態において、暗号化ＩＤコードをＩＤコードの送信側からＩＤコードの受信側に送信する媒体として、赤外線通信を行うリモコンを用いたが、このようなリモコンに限らず、他の媒体を仲介して暗号化ＩＤコードが、ＩＤコードの送信側からＩＤコードの受信側に送信されるようにしても構わない。このようなリモコン５，５ａに変わる媒体として、例えば、メモリカードやＩＣカードなどがあげられる。
【０１６４】
図３４に、メモリカードを使用した例を示す。この図３４に示すメモリカード５ｂは、ＡＶデータ送信装置３ｐ及びＡＶデータ受信装置４ｐのそれぞれに設けられたスロット５０ａ，５０ｂに挿入される。そして、スロット５０ａ，５０ｂに挿入されることによって、ＡＶデータ送信装置３ｐ及びＡＶデータ受信装置４ｐのそれぞれに設けられる不図示のインターフェースとデータの送受信を行い、上述の暗号化ＩＤコードや認証コードを用いた通信を行う。
【０１６５】
又、図３５に示すように、リモコン５，５ａを、箱体の前方側表面Ｘに赤外線受発光部７２が設けられたリモコン７３とし、ＡＶデータ送信装置３（３ｘ，３ｙも含む）及びＡＶデータ受信装置４（４ｘ〜４ｚも含む）を、通常のリモコンと赤外線通信を行うための赤外線受発光部７７以外にリモコン７３と赤外線通信を行うための赤外線受発光部７６が設けられたＡＶデータ通信用装置７０とする。又、このＡＶデータ通信用装置７０において、赤外線受発光部７６は、装置内部に設けられるとともに、図３５（ａ）のように、ストッパー７４ａを備えた遮光蓋７４によって通常は遮光された状態となる。
【０１６６】
そして、この遮光蓋７４を押すように、リモコン７３が赤外線受発光部７２から挿入されると、図３５（ｂ）のように、遮光蓋７４のストッパー７４ａがスイッチ７５を押圧する。このスイッチ７５は、赤外線受発光部７６をＯＮ／ＯＦＦするためのスイッチであり、ストッパー７４ａによって押圧されることで、赤外線受発光部７６がＯＮとなり赤外線信号が送信される。
【０１６７】
その後、この赤外線受発光部７６からの赤外線信号がリモコン７３の赤外線受発光部７２で受光されると、リモコン７３が遮光蓋７４から挿入されて赤外線通信可能であることを確認する。よって、図３５（ｃ）のように、リモコン７３の赤外線受発光部７２が赤外線発光可能な状態となる。よって、ＡＶデータ通信用装置７０及びリモコン７２との間で赤外線通信可能な状態となり、ＩＤ要求信号や暗号化ＩＤコードや認識コードなどの送受信が行われる。
【０１６８】
又、リモコン５，５ａについては、図３５のような構成とし、特定のリモコンとしても構わないし、ＡＶデータ送信装置及びＡＶデータ受信装置の通常動作を操作するための機能を備えるものとしても構わないし、更に、ＡＶ再生装置やＡＶソース機器を操作する機能を備えるものとしても構わない。
【０１６９】
＜第７の実施形態＞
本発明の第７の実施形態について、図面を参照して以下に説明する。図３６は、ＡＶデータ通信システムの構成を示すブロック図である。尚、本実施形態では、第１の実施形態と同様、図２のＡＶデータ送信装置及び図３のＡＶデータ送信装置が用いられるものとする。
【０１７０】
本実施形態のＡＶデータ無線通信システムは、図３６のように、第１の実施形態と異なり、ＩＤ管理用リモコン５が省かれた構成となる。よって、ＡＶデータ送信装置で通信用ＩＤコードＡより暗号化ＩＤコードα及び解除コードａが生成されると、ＡＶデータ送信装装置３からＡＶデータ受信装置４へ直接、暗号化ＩＤコードαが赤外線信号として送信されるとともに、解除コードａが無線通信によって送信される。そして、ＡＶデータ受信装置４において、暗号化ＩＤコードαを解除コードａにより暗号化解除して、通信用ＩＤコードＡを得て、ＩＤ記憶部５６０に格納する。
【０１７１】
このときのＩＤ設定動作が、図３７のタイムチャートで表される。即ち、ＡＶデータ受信装置４よりＩＤ要求信号が赤外線通信により送信され（ＳＴＥＰ３０１）、ＡＶデータ送信装置３でＩＤ要求信号が受信されると（ＳＴＥＰ３０２）、ＩＤ記憶部５２０より通信用ＩＤコードが確認され（ＳＴＥＰ３０３）、暗号化ＩＤコード及び解除コードが生成される（ＳＴＥＰ３０４）。そして、暗号化ＩＤコードが赤外線通信により送信されるとともに（ＳＴＥＰ３０５）、解除コードが無線通信により送信される（ＳＴＥＰ３０６）。
【０１７２】
又、ＡＶデータ受信装置４は、赤外線信号である暗号化ＩＤコードを受信するとともに（ＳＴＥＰ３０７）、無線通信により送信される解除コードを受信して（ＳＴＥＰ３０８）、解除コードにより暗号化ＩＤコードの暗号化解除を行い、通信用ＩＤコードを確認する（ＳＴＥＰ３０９）。そして、この通信用ＩＤコードをＩＤ記憶部５６０に格納すると（ＳＴＥＰ３１０）、通信用ＩＤコードの切換が完了したことを示す切換完了信号を無線通信又は赤外線信号により送信する（ＳＴＥＰ３１１）。ＡＶデータ送信装置は、この切換完了信号を受信すると（ＳＴＥＰ３１２）、解読コードの送信を終了する（ＳＴＥＰ３１３）。
【０１７３】
尚、本実施形態において、第１の実施形態に準じた動作を行うものとしたが、リモコン５又はリモコン５ａを省略した構成のＡＶデータ通信システムとし、ＩＤ設定動作を行うとき、第２〜第６の実施形態に準じた動作を行うものとしても構わない。
【０１７４】
尚、上述の各実施形態において、ＩＤコードの送信側又は受信側となる装置において、通信用ＩＤコードが設定可能な回数を制限するようにしても構わないし、又、ＩＤコードの受信側となる装置において、受信できるＩＤコードの数を制限するようにしても構わない。又、解除コードは、暗号化ＩＤコードより通信用ＩＤコードに復号化できるためのキーであれば何でも良く、予め受信側で複数のＩＤコードを記憶しておき、このうち何番目のＩＤコードを使用すれば復号できるかを指定するような形態としてもよい。又、リモコン内部で暗号化ＩＤコードが変換されても構わないし、リモコンが通信に使用するキャリア周波数等を通信相手となる各機器に合わせて変更するようにしても構わない。
【０１７５】
更に、本実施形態では、ＡＶデータ伝送に使用されるＩＤコードを暗号化ＩＤコードと解除コードなどのように２つのコードにして、相手側となる装置に送信し、ＩＤコードを格納させるようにしたが、２つのコードに限定されるものでなく、２つ以上の複数のコードとされ、この複数のコードがそれぞれ異なる媒体で相手側となる装置に送信されるものであれば構わない。即ち、赤外線通信と無線通信に限らず、異なる周波数帯の無線通信により送信されるものでも構わない。
【０１７６】
【発明の効果】
本発明によると、２つ以上の伝送媒体を利用して送信される設定用鍵信号により通信用鍵信号が配信されるため、通信用鍵信号の秘匿性を高くすることができる。又、認証コードによる各機器の認証を行うようにするため、許可していない他の装置により通信用鍵信号の傍受されることを防ぐことができる。又、伝送媒体を携帯可能なリモートコントローラ及び無線通信を利用することによって、通信装置が移動不可能である場合でも、容易に通信用鍵信号の配信を行うことができる。又、特定の期間に設定用鍵信号の送信を行うことで、傍受や複製を防ぐことができる。
【図面の簡単な説明】
【図１】第１の実施形態におけるＡＶデータ無線通信システムを説明するための図。
【図２】第１の実施形態におけるＡＶデータ送信装置の内部構成を示すブロック図。
【図３】第１の実施形態におけるＡＶデータ受信装置の内部構成を示すブロック図。
【図４】第１の実施形態におけるＩＤ管理用リモコンの内部構成を示すブロック図。
【図５】第１の実施形態におけるＡＶデータ無線通信システムにおけるＩＤ設定時の動作を示すタイムチャート。
【図６】暗号化ＩＤコード及び解読コード生成時の動作を示すフローチャート。
【図７】第１の実施形態におけるＡＶデータ送信装置の動作を示すフローチャート。
【図８】第１の実施形態におけるＩＤ管理用リモコンの動作を示すフローチャート。
【図９】第１の実施形態におけるＡＶデータ無線通信システムにおける動作例を示す状態遷移図。
【図１０】第２の実施形態におけるＡＶデータ無線通信システムを説明するための図。
【図１１】第２の実施形態におけるＡＶデータ送信装置の内部構成を示すブロック図。
【図１２】第２の実施形態におけるＡＶデータ受信装置の内部構成を示すブロック図。
【図１３】第２の実施形態におけるＡＶデータ無線通信システムにおける動作例を示す状態遷移図。
【図１４】第３の実施形態において、暗号化ＩＤコード及び解読コード生成時の動作を示すフローチャート。
【図１５】第３の実施形態において、暗号化ＩＤコードの暗号化解除時の動作を示すフローチャート。
【図１６】第４の実施形態におけるＩＤ管理用リモコンの内部構成を示すブロック図。
【図１７】第４の実施形態におけるＡＶデータ送信装置の動作を示すフローチャート。
【図１８】第４の実施形態におけるＩＤ管理用リモコンの動作を示すフローチャート。
【図１９】第４の実施形態におけるＩＤ管理用リモコンの動作を示すフローチャート。
【図２０】第４の実施形態におけるＡＶデータ受信装置の動作を示すフローチャート。
【図２１】第４の実施形態におけるＡＶデータ無線通信システムにおけるＩＤ設定時の動作を示すタイムチャート。
【図２２】第５の実施形態におけるＡＶデータ送信装置の内部構成を示すブロック図。
【図２３】第５の実施形態におけるＡＶデータ受信装置の内部構成を示すブロック図。
【図２４】第５の実施形態におけるＡＶデータ送信装置の動作を示すフローチャート。
【図２５】第５の実施形態におけるＩＤ管理用リモコンの動作を示すフローチャート。
【図２６】第５の実施形態におけるＩＤ管理用リモコンの動作を示すフローチャート。
【図２７】第５の実施形態におけるＡＶデータ受信装置の動作を示すフローチャート。
【図２８】第５の実施形態におけるＡＶデータ無線通信システムにおけるＩＤ設定時の動作を示すタイムチャート。
【図２９】第６の実施形態におけるＡＶデータ受信装置の内部構成を示すブロック図。
【図３０】第６の実施形態におけるＡＶデータ送信装置の動作を示すフローチャート。
【図３１】第６の実施形態におけるＡＶデータ受信装置の動作を示すフローチャート。
【図３２】第６の実施形態におけるＩＤ管理用リモコンの動作を示すフローチャート。
【図３３】第６の実施形態におけるＡＶデータ無線通信システムにおいて、ＩＤコードの受信側をＡＶデータ送信装置としたときのＡＶデータ送信装置の内部構成を示すブロック図。
【図３４】本発明に適用したメモリカードを説明するための図。
【図３５】本発明のＩＤ管理用リモコンの一例を説明するための図。
【図３６】第７の実施形態におけるＡＶデータ無線通信システムを説明するための図。
【図３７】第７の実施形態におけるＡＶデータ無線通信システムにおけるＩＤ設定時の動作を示すタイムチャート。
【図３８】従来のＡＶデータ無線通信システムを説明するための図。
【図３９】従来のＡＶデータ送信装置の内部構成を示すブロック図。
【図４０】従来のＡＶデータ受信装置の内部構成を示すブロック図。
【符号の説明】
１    ＡＶソース
２    ＡＶ再生装置
３    ＡＶデータ送信装置
４    ＡＶデータ受信装置
５    リモコン
【図１】
2004214976.tif 000003
【図２】
2004214976.tif 000004
【図３】
2004214976.tif 000005
【図４】
2004214976.tif 000006
【図５】
2004214976.tif 000007
【図６】
2004214976.tif 000008
【図７】
2004214976.tif 000009
【図８】
2004214976.tif 000010
【図９】
2004214976.tif 000011
【図１０】
2004214976.tif 000012
【図１１】
2004214976.tif 000013
【図１２】
2004214976.tif 000014
【図１３】
2004214976.tif 000015
【図１４】
2004214976.tif 000016
【図１５】
2004214976.tif 000017
【図１６】
2004214976.tif 000018
【図１７】
2004214976.tif 000019
【図１８】
2004214976.tif 000020
【図１９】
2004214976.tif 000021
【図２０】
2004214976.tif 000022
【図２１】
2004214976.tif 000023
【図２２】
2004214976.tif 000024
【図２３】
2004214976.tif 000025
【図２４】
2004214976.tif 000026
【図２５】
2004214976.tif 000027
【図２６】
2004214976.tif 000028
【図２７】
2004214976.tif 000029
【図２８】
2004214976.tif 000030
【図２９】
2004214976.tif 000031
【図３０】
2004214976.tif 000032
【図３１】
2004214976.tif 000033
【図３２】
2004214976.tif 000034
【図３３】
2004214976.tif 000035
【図３４】
2004214976.tif 000036
【図３５】
2004214976.tif 000037
【図３６】
2004214976.tif 000038
【図３７】
2004214976.tif 000039
【図３８】
2004214976.tif 000040
【図３９】
2004214976.tif 000041
【図４０】
2004214976.tif 000042